(57)【特許請求の範囲】
【請求項１】
複数の検出点を有する静電容量検知装置上に接続する、複数の導電体を備える入力装置であって、
前記導電体は、それぞれ、
前記静電容量検知装置の外部に配され、ユーザの接触による電気的な入力を取得する入力部と、
前記入力部が取得した電気的な入力を、検出点に伝達する接続部と、
を備え、
複数の前記導電体が交差し、当該交差する領域に前記接続部が配されることを特徴とする入力装置。
【請求項２】
複数の検出点を有する静電容量検知装置上に接続する、複数の導電体を備える入力装置であって、
前記導電体は、それぞれ、
前記静電容量検知装置の外部に配され、ユーザの接触による電気的な入力を取得する入力部と、
前記入力部が取得した電気的な入力を、検出点に伝達する接続部と、
を備え、
前記入力部及び前記接続部が立体部材に設けられることを特徴とする入力装置。
【請求項３】
前記静電容量検知装置はタッチパネルであることを特徴とする請求項１又は２に記載の入力装置。
【請求項４】
前記接続部は、複数の前記入力部に対するユーザのスライド操作に伴い、複数の前記検出点に、前記スライド操作が行われたと判定される電気的な入力を伝達するよう、それぞれ配されることを特徴とする請求項１から３のいずれか１項に記載の入力装置。
【請求項５】
前記入力部が設けられている領域に周囲の領域とは異なる凸状又は凹状が設けられていることを特徴とする請求項１から４のいずれか１項に記載の入力装置。
【請求項６】
複数の検出点を有する静電容量検知装置上に接続する、複数の導電体を備える入力装置であって、
前記導電体は、それぞれ、
前記静電容量検知装置の外部に配され、ユーザの接触による電気的な入力を取得する入力部と、
前記入力部が取得した電気的な入力を、検出点に伝達する接続部と、
を備え、
複数の前記導電体が、縞状に配され、
前記接続部は、複数の前記入力部に対するユーザのスライド操作に伴い、複数の前記検出点に、前記スライド操作が行われたと判定される電気的な入力を伝達するよう、それぞれ配されることを特徴とする入力装置。
【請求項７】
複数の検出点を有する静電容量検知装置上に接続する、複数の導電体を備える入力装置であって、
前記導電体は、それぞれ、
前記静電容量検知装置の外部に配され、ユーザの接触による電気的な入力を取得する入力部と、
前記入力部が取得した電気的な入力を、検出点に伝達する接続部と、
を備え、
複数の前記導電体が、縞状に配され、
前記入力部が設けられている領域に周囲の領域とは異なる凸状又は凹状が設けられていることを特徴とする入力装置。
【請求項８】
複数の検出点を有する静電容量検知装置上に接続する、複数の導電体を備える入力装置であって、
前記導電体は、それぞれ、
前記静電容量検知装置の外部に配され、ユーザの接触による電気的な入力を取得する入力部と、
前記入力部が取得した電気的な入力を、検出点に伝達する接続部と、
を備え、
前記接続部のそれぞれの並び順がこれら接続部に対応する入力部の並び順であり、互いに離間した複数の前記導電体が配置された基部と、
前記入力部のそれぞれに前記ユーザが一端部に接触することにより電気的な入力を他端部に伝達し、当該他端部が前記入力部のそれぞれに接続可能な伝達部材と、
を備えることを特徴とする入力装置。
【請求項９】
前記基部は、
当該基部との間に隙間を構成し、前記伝達部材を前記隙間に沿って移動することにより前記伝達部材の前記他端部が前記入力部に配列順に接続可能なガイドを有することを特徴とする請求項８に記載の入力装置。
【請求項１０】
複数の検出点を有する静電容量検知装置と、
前記静電容量検知装置の外部に配置されユーザの接触による電気的な入力を検出する入力部と当該入力部において検出した電気的な入力を前記検出点に伝達する接続部とがそれぞれ設けられた複数の導電体を備える第１入力装置と、
前記ユーザの接触による電気的な入力を前記静電容量検知装置の複数の検出点に伝達する導電パターンを備える第２入力装置と、
前記静電容量検知装置へ出力する情報を制御する制御装置と、を備え、
前記制御装置が、
前記第２入力装置の前記導電パターンから入力される電気信号であって、前記静電容量検知装置の検出点から得た電気信号に基づく検出位置パターンを検出し、当該検出位置に応じて、前記第２入力装置の利用に基づく情報処理を行う第２入力装置対応処理部と、
前記第１入力装置の前記接続部における電気信号を検出し、当該電気信号に基づく第１入力装置の利用に基づく情報処理を、前記第２入力装置の利用に基づく情報処理の処理結果を用いて行う第１入力装置対応処理部と、
を備えることを特徴とする情報処理装置。
【請求項１１】
複数の検出点を有する静電容量検知装置上に接続する、複数の導電体を備える入力装置であって、前記導電体は、それぞれ、前記静電容量検知装置の外部に配され、ユーザの接触による電気的な入力を取得する入力部と、前記入力部が取得した電気的な入力を、検出点に伝達する接続部と、を備えた入力装置と、
ユーザの頭部前方に配置可能な筐体と、を備え、
前記筐体は、内部に前記静電容量検知装置を配置可能に構成され、
前記入力装置の前記入力部は前記筐体の外側に配置され、
前記入力装置の前記接続部の少なくとも一部は前記筐体の内側に配置され、且つ前記静電容量検知装置の検出点に接触可能に構成されていることを特徴とするヘッドマウントディスプレイ。
【発明の詳細な説明】
【技術分野】
【０００１】
本発明は、入力装置、情報処理装置及びヘッドマウントディスプレイに関する。
【背景技術】
【０００２】
スマートフォンやタブレット端末では、タッチパネルが使用されている場合がある。
特許文献１には、関連する技術として、静電容量式タッチパネルの製造方法に関する技術が記載されている。
【先行技術文献】
【特許文献】
【０００３】
【特許文献１】特開２０１４−８５７７１号公報
【発明の概要】
【発明が解決しようとする課題】
【０００４】
ところで、一般的に、タッチパネルに対して入力操作を行う場合、ユーザは指やタッチペンなどでタッチパネルのタッチ入力領域に直接操作する必要がある。
そのため、タッチパネルを直接触れなくともタッチパネルへの入力操作のできる技術が求められていた。
【０００５】
そこでこの発明は、上記の課題を解決することのできる入力装置、情報処理装置及びヘッドマウントディスプレイを提供することを目的としている。
【課題を解決するための手段】
【０００６】
上記目的を達成するために、本発明は、複数の検出点を有する静電容量検知装置上に接続する、複数の導電体を備える入力装置であって、前記導電体は、それぞれ、前記静電容量検知装置の外部に配され、ユーザの接触による電気的な入力を取得する入力部と、前記入力部が取得した電気的な入力を、検出点に伝達する接続部と、を備え、複数の前記導電体が交差し、当該交差する領域に前記接続部が配されることを特徴とする入力装置である。
また本発明は、複数の検出点を有する静電容量検知装置上に接続する、複数の導電体を備える入力装置であって、前記導電体は、それぞれ、前記静電容量検知装置の外部に配され、ユーザの接触による電気的な入力を取得する入力部と、前記入力部が取得した電気的な入力を、検出点に伝達する接続部と、を備え、前記入力部及び前記接続部が立体部材に設けられることを特徴とする入力装置である。
【０００７】
また本発明は、前記静電容量検知装置がタッチパネルであることが好ましい。
【０００８】
また本発明では、複数の前記導電体が、縞状に配され、前記入力装置が備える前記接続部が、複数の前記入力部に対するユーザのスライド操作に伴い、複数の前記検出点に、前記スライド操作が行われたと判定される電気的な入力を伝達するよう、それぞれ配されることが好ましい。
【００１２】
また本発明では、複数の前記導電体が、縞状に配され、前記入力部が設けられている領域に周囲の領域とは異なる凸状又は凹状が設けられていることが好ましい。
また本発明は、複数の検出点を有する静電容量検知装置上に接続する、複数の導電体を備える入力装置であって、前記導電体は、それぞれ、前記静電容量検知装置の外部に配され、ユーザの接触による電気的な入力を取得する入力部と、前記入力部が取得した電気的な入力を、検出点に伝達する接続部と、を備え、複数の前記導電体が、縞状に配され、前記接続部は、複数の前記入力部に対するユーザのスライド操作に伴い、複数の前記検出点に、前記スライド操作が行われたと判定される電気的な入力を伝達するよう、それぞれ配されることを特徴とする入力装置である。
また本発明は、複数の検出点を有する静電容量検知装置上に接続する、複数の導電体を備える入力装置であって、前記導電体は、それぞれ、前記静電容量検知装置の外部に配され、ユーザの接触による電気的な入力を取得する入力部と、前記入力部が取得した電気的な入力を、検出点に伝達する接続部と、を備え、複数の前記導電体が、縞状に配され、前記入力部が設けられている領域に周囲の領域とは異なる凸状又は凹状が設けられていることを特徴とする入力装置である。
【００１３】
また本発明は、複数の検出点を有する静電容量検知装置上に接続する、複数の導電体を備える入力装置であって、前記導電体は、それぞれ、前記静電容量検知装置の外部に配され、ユーザの接触による電気的な入力を取得する入力部と、前記入力部が取得した電気的な入力を、検出点に伝達する接続部と、を備え、前記接続部のそれぞれの並び順がこれら接続部に対応する入力部の並び順であり、互いに離間した複数の前記導電体が配置された基部と、前記入力部のそれぞれに前記ユーザが一端部に接触することにより電気的な入力を他端部に伝達し、当該他端部が前記入力部のそれぞれに接続可能な伝達部材と、を備えることを特徴とする入力装置である。
【００１４】
また本発明は、前記基部は、当該基部との間に隙間を構成し、前記伝達部材を前記隙間に沿って移動することにより前記伝達部材の前記他端部が前記入力部に配列順に接続可能なガイドを有することが好ましい。
【００１６】
また本発明は、複数の検出点を有する静電容量検知装置と、前記静電容量検知装置の外部に配置されユーザの接触による電気的な入力を検出する入力部と当該入力部において検出した電気的な入力を前記検出点に伝達する接続部とがそれぞれ設けられた複数の導電体を備える第１入力装置と、前記ユーザの接触による電気的な入力を前記静電容量検知装置の複数の検出点に伝達する導電パターンを備える第２入力装置と、前記静電容量検知装置へ出力する情報を制御する制御装置と、を備え、前記制御装置が、前記ユーザの接触による電気的な入力を自装置の平面領域における複数位置に伝達する導電パターンを備える第２入力装置の前記導電パターンから入力される電気信号であって、前記静電容量検知装置の検出点から得た電気信号に基づく検出位置パターンを検出し、当該検出位置に応じて、前記第２入力装置の利用に基づく情報処理を行う第２入力装置対応処理部と、前記第１入力装置の前記接続部における電気信号を検出し、当該電気信号に基づく第１入力装置の利用に基づく情報処理を、前記第２入力装置の利用に基づく情報処理の処理結果を用いて行う第１入力装置対応処理部と、を備えることを特徴とする情報処理装置である。
また本発明は、複数の検出点を有する静電容量検知装置上に接続する、複数の導電体を備える入力装置であって、前記導電体は、それぞれ、前記静電容量検知装置の外部に配され、ユーザの接触による電気的な入力を取得する入力部と、前記入力部が取得した電気的な入力を、検出点に伝達する接続部と、を備えた入力装置と、ユーザの頭部前方に配置可能な筐体と、を備え、前記筐体は、内部に前記静電容量検知装置を配置可能に構成され、前記入力装置の前記入力部は前記筐体の外側に配置され、前記入力装置の前記接続部の少なくとも一部は前記筐体の内側に配置され、且つ前記静電容量検知装置の検出点に接触可能に構成されていることを特徴とするヘッドマウントディスプレイである。
【発明の効果】
【００１７】
本発明によれば、タッチパネル等の静電容量検知装置を直接触れなくとも静電容量検知装置への入力操作を行うことができる。
【図面の簡単な説明】
【００１８】
【図１】本発明の第一の実施形態による入力装置１の構成の一例を示す図である。
【図２】本発明の第二の実施形態による入力装置１Ａの構成の一例を示す図である。
【図３】本発明の第二の実施形態による入力装置１Ａの第一の使用例を示す図である。
【図４】本発明の第二の実施形態による入力装置１Ａの第二の使用例を示す図である。
【図５】本発明の第二の実施形態による入力装置１Ａの第三の使用例を示す図である。
【図６】本発明の第二の実施形態による入力装置１Ａの第四の使用例を示す図である。
【図７】本発明の第二の実施形態における第五の使用例のタブレット端末２の機能ブロックを示す図である。
【図８】本発明の第二の実施形態による入力装置１Ａの第六の使用例を示す図であり、第六の使用例におけるデータ入力用カード５Ａによるデータ入力を説明する図である。
【図９】本発明の第二の実施形態による入力装置１Ａの第六の使用例を示す図であり、第六の使用例におけるデータ入力用カード５Ａによるデータ入力を説明する別の図である。
【図１０】本発明の第二の実施形態による入力装置１Ａの第六の使用例を示す図であり、第六の使用例におけるデータ入力用カード５Ｂによるデータ入力を説明する図である。
【図１１】本発明の第二の実施形態による入力装置１Ａの第六の使用例を示す図であり、第六の使用例におけるデータ入力用カード５Ｂによるデータ入力を説明する別の図である。
【図１２】本発明の第二の実施形態における第六の使用例のタブレット端末２の機能ブロックを示す図である。
【図１３】本発明の第二の実施形態による入力装置１Ａの第六の使用例を示す図であり、第六の使用例における第１入力装置によるデータ入力を説明する図である。
【図１４】本発明の第三の実施形態による入力装置１Ｂの構成の一例を示す図である。
【図１５】本発明の第三の実施形態による入力装置１Ｂの第一の使用例を示す図である。
【図１６】本発明の第三の実施形態による入力装置１Ｂの第二の使用例を示す図である。
【図１７】本発明の第三の実施形態による入力装置１Ｂの第三の使用例を示す図である。
【図１８】本発明の第四の実施形態による入力装置１Ｃの構成の一例を示す図である。
【図１９】本発明の第四の実施形態による入力装置１Ｃの第一の使用例を示す図である。
【図２０】本発明の第五の実施形態による入力装置１Ｄの構成の一例を示す図である。
【図２１】本発明の第五の実施形態による入力装置１Ｄの第一の使用例を示す図である。
【図２２】本発明の第五の実施形態による入力装置１Ｄの第二の使用例を示す図である。
【図２３】本発明の第五の実施形態による入力装置１Ｄの第二の使用例を説明するための図である。
【図２４】本発明の第五の実施形態による入力装置１Ｄの第三の使用例を示す図である。
【図２５】本発明の第五の実施形態による入力装置１Ｄの第四の使用例を示す図である。
【図２６】本発明の第六の実施形態による入力装置１Ｅの第一の使用例を示す図である。
【図２７】本発明の第六の実施形態による入力装置１Ｅの図２６における矢印Ｂの方向から見た側面図の一例を示す図である。
【図２８】本発明の第六の実施形態による入力装置１Ｅが備える複数の粘着部３０を図２６における矢印Ｃの方向から見た平面図の一例を示す図である。
【図２９】本発明の第六の実施形態による入力装置１Ｅが備える第一領域４０を形成する入力部２０ａを図２６における矢印Ｃの方向から見た平面図の一例を示す図である。
【図３０】本発明の第七の実施形態による入力装置１Ｆの構成の例を示す図である。
【発明を実施するための形態】
【００１９】
本発明は、複数の検出点を有するタッチパネル（静電容量検知装置）上に接続する、複数の導電体を備える入力装置であって、導電体は、それぞれ、タッチパネルの外部に配され、ユーザの接触による電気的な入力を取得する入力部と、入力部が取得した電気的な入力を、検出点に伝達する接続部と、を備えることを特徴とする入力装置である。
なお、以下では、静電容量検知装置の一つとしてタッチパネルを例示して説明するが、入力装置の接続対象である静電容量検知装置は、静電容量の変化を検知できるものであれば、特に限定されない。
【００２０】
入力部は、ユーザが触れる入力部の位置と数量に応じて入力部のそれぞれに対応するタッチパネルの検出点に新たな静電容量を形成するという作用を有するものであれば良い。
入力部の形状は、直線、曲線、幅、厚さ等、発明の効果が得られる範囲でそれぞれの導電体で形状が異なっても良く、上記の作用を有するものであれば、この限りではない。
【００２１】
接続部は、静電容量を形成するタッチパネルの複数の電極と、接続部との間で、ユーザが入力部に触れたときに新たな静電容量を形成するという作用を有するものであれば良い。接続部２０ｂの形状は、直線、曲線、幅、厚さ等、発明の効果が得られる範囲でそれぞれの導電体で形状が異なっても良く、上記の作用を有するものであれば、この限りではない。
【００２２】
また、本発明に係る入力装置は、前記接続部が、複数の前記入力部に対するユーザのスライド操作に伴い、複数の前記検出点に、前記スライド操作が行われたと判定される電気的な入力を伝達するよう、それぞれ配されることが好ましい。
【００２３】
また、本発明に係る入力装置は、複数の前記導電体が、縞状に配されることが好ましい。これにより、導電体同士の間隔や導電体の寸法などを入力装置の全体にわたって統一できるため、入力装置の製造コストの低減が期待できる。なお、本明細書において、縞状とは、隣り合う導体同士が略平行かつ略等間隔に並べられた配置を意味する。
【００２４】
また、本発明に係る入力装置は、複数の前記導電体が交差し、当該交差する領域に前記接続部が配されることが好ましい。これにより、タッチパネルの２方向（例えばＸ軸方向とＹ軸方向）に対してスライド入力操作を行うことができる。
【００２５】
さらに、本発明に係る入力装置は、入力部と接続部とを繋ぐ中継部を備えることが好ましい。
【００２６】
中継部は、導電糸、金属線、導電性ポリマ、導電性インクにより形成された線等が例として挙げられるが、材料、配置などを含めてユーザが入力部に触れた時に導電体内で電荷を移動できるものであれば、この限りではない。また、中継部２０ｃの長さは、発明の効果が得られる限り、限定するものではない。
【００２７】
また、入力部、中継部のそれぞれは、タッチパネルの枠外、側面、裏面等の配置が例として挙げられるが、上述の作用を達成するものであれば、この限りではない。また、導電体２０は、全体が同一材料で形成されなくても良い。
【００２８】
さらに、本発明に係る入力装置は、導電体を配置する材料を備えることが好ましい。
【００２９】
導電体を配置する材料は、例えば、透明ポリエステルシートが挙げられるが、入力装置全体にわたって同一材料で形成されていなくても良い。例えば、入力部と接続部はポリエステルシート上に配置され、中継部は互いが絶縁された状態で束ねられていても良い。
【００３０】
さらに、本発明に係る入力装置は、導電体とディスプレイとを接着させる粘着部を備えることが好ましい。
【００３１】
粘着部の材料としては、アクリル溶剤型樹脂や紫外線硬化型樹脂などのタッチパネル用透明粘着剤が例として挙げられるが、接続部をタッチパネルに固定できるものであれば、この限りではない。
【００３２】
なお、粘着部は、導電体を配置する材料を介して導電体と接着することが好ましい。これにより、導電体を傷つけることなく、導電体とディスプレイとを接着することができる。
なおまた、導電体は導電体を配置する材料を介してディスプレイに対して少なくとも一時的に接触可能であればよい。従って、粘着部の粘着力は、入力装置の使用用途及び設置位置等に応じて、調整されていれば良い。本発明に係る入力装置は、例えば付箋のようにディスプレイに対して着脱自在とされていてもよい。
さらに、粘着部が省略され、導電体は重力やユーザによる押圧力等によってディスプレイに接触可能に構成されていても良い。
上記のように入力装置とディスプレイとの接触方法や接触形態を適宜選択することで、本発明に係る入力装置の用途を拡大することができる。
【００３３】
以下、本発明の実施形態について詳細を説明する。
【００３４】
＜第一の実施形態＞
図１は、本発明の第一の実施形態による入力装置１の構成の一例を示す図である。
本発明の第一の実施形態による入力装置１は、絶縁性材料であるシート本体１０と、複数の導電体２０と、粘着部３０と、を備える。
シート本体１０は、絶縁性材料であり透明で可撓性を有する。例えば、シート本体１０は、透明ポリエステルシートである。
複数の導電体２０のそれぞれは、複数の入力部２０ａ（２０ａ１、２０ａ２、２０ａ３、・・・、２０ａｎ）と、複数の接続部２０ｂ（２０ｂ１、２０ｂ２、２０ｂ３、・・・、２０ｂｎ）と、入力部２０ａと接続部２０ｂとを繋ぐ中継部２０ｃと、を備える。複数の導電体２０がそれぞれ備える入力部２０ａは、シート本体１０の表面に延びるように配置され、互いに隣り合うように配列された第一領域４０を形成する。複数の導電体２０がそれぞれ備える接続部２０ｂは、シート本体１０の表面に延びるように配置され、互いに隣り合うように配列された第二領域５０を形成する。
粘着部３０は、シート本体１０の裏面における第二領域５０に対応する位置に配置される。粘着部３０は、透明な粘着材料を有しシート本体１０の裏面における第二領域５０をタッチパネル６０に固定する。例えば、粘着部３０が有する透明な粘着材料は、アクリル溶剤型樹脂や紫外線硬化型樹脂などである。複数の接続部２０ｂのそれぞれの並び順がこれら接続部２０ｂに対応する入力部２０ａの並び順であり、互いに離間した複数の導電体２０がシート本体１０に配置される。
第一の実施形態による入力装置１が備える粘着部３０が静電容量式タッチパネルの表面に貼り付けられる。このとき、接続部２０ｂはタッチパネルの検出点の近傍に固定される。ユーザは水分が多く導電性を有するため、ユーザが入力部２０ａに触れると、ユーザと、入力装置１の導電体２０と、タッチパネルとを経由する電流ループが形成される。このループが形成されると、ユーザから電気的な入力が行われ、ユーザが触れた入力部２０ａに対応する接続部２０ｂに電荷の移動が可能となる。そして、静電容量を形成するタッチパネルの複数の電極と、接続部２０ｂとの間で、新たな静電容量が形成される。
新たに形成される静電容量により、タッチパネルの複数の検出点における静電容量が変化する。タッチパネルの複数の検出点ではこの静電容量の変化に基づいて変化する電圧や電流の変化を検出し、その変化があったと判定した場合に、その検出点に入力操作が行われたと判定する。
【００３５】
また、例えば、ユーザが入力部２０ａ１から入力部２０ａ２、入力部２０ａ２から入力部２０ａ３、・・・のように第一領域の隣り合った入力部を順にユーザが触れる（静電容量の変化を生じるスライド操作を行う）。すると、ユーザから入力される電気的な入力が各中継部２０ｃを介して対応する第二領域の接続部２０ｂ１、接続部２０ｂ２，２０ｂ３、・・・に伝わりタッチパネルの複数の検出点において新たな静電容量が形成される。新たに形成される静電容量により、タッチパネルの複数の検出点における静電容量が変化する。タッチパネルの複数の検出点ではこの静電容量の変化に基づいて変化する電圧や電流の変化を検出する。そのため、直接タッチパネルに触れなくとも、ユーザがタッチパネルに直接触れてスライド操作を行うのと同様の操作が可能である。なお、接続部２０ｂは複数の入力部２０ａに対するユーザのスライド操作に伴い、複数の検出点に、スライド操作が行われたと判定される新たな静電容量が形成されるよう、それぞれ配されることが望ましい。
【００３６】
本発明に係る入力装置１は、複数の検出点を有するタッチパネル上に接続する、複数の導電体２０を備える入力装置であって、導電体２０は、それぞれ、タッチパネルの外部に配され、ユーザの接触による電気的な入力を取得する入力部２０ａと、入力部２０ａが取得した電気的な入力を、検出点に伝達する接続部２０ｂと、を備えることを特徴とする入力装置である。このような第一の実施形態による入力装置１の構成により、ユーザがタッチパネルに直接触れなくともタッチパネルへの入力操作を行うことができる。また、ユーザが入力装置１の隣り合う複数の入力部２０ａに順に触れることでスライド操作を行うことができる。また、本発明に係る入力装置１は、バッテリやドライバなどの駆動源を必要としない。そのため、タッチパネルやその縁部に予め回路を用意する必要がない。
また、本発明に係る入力装置１は、タッチパネル以外の箇所に入力部２０ａが配されるよう貼り付けて使用することができる。そのため、ユーザがタッチパネルを入力操作する際に指などでタッチパネルが隠れて見えなくなることがない。また、ユーザのタッチパネルへの入力操作性が向上する。
なお、シート本体１０が所定の透明度を有していれば、複数の導電体２０同士の隙間からシート本体１０の下側の画像がユーザに視認される。ここで、所定の透明度とは、シート本体１０を透過したタッチパネルでの画像をユーザが視認できる透明度を示す。このように複数の導電体２０同士の隙間を透過した画像が視認されることに視覚的効果が加わり、ユーザはシート本体１０の下側の画像の概要を容易に把握することができる。これにより、ユーザは自身の入力操作がタッチパネルで所望の動作として処理されているかどうかを知ることができる。即ち、複数の導電体同士の隙間は、ユーザの操作がタッチパネルでどのように認識されているかを表示する領域として機能する。なお、導電体２０も透明であれば、上述の表示機能がより高められる。
【００３７】
＜第二の実施形態＞
図２は、本発明の第二の実施形態による入力装置１Ａの構成の一例を示す図である。
本発明の第二の実施形態による入力装置１Ａは、第一の実施形態による入力装置１と同様に、シート本体１０と、複数の導電体２０と、粘着部３０と、を備える。
シート本体１０は、絶縁性材料であり透明で可撓性を有する。
複数の導電体２０のそれぞれは、図２で示すように、入力部２０ａと、接続部２０ｂと、入力部２０ａと接続部２０ｂとを繋ぐ中継部２０ｃと、を備える。複数の導電体２０がそれぞれ備える入力部２０ａは、シート本体１０の表面に延びるように配置され、所定の間隔で互いに平行に隣り合うように配列された第一領域４０を形成する。複数の導電体２０がそれぞれ備える接続部２０ｂは、シート本体１０の表面に延びるように配置され、互いに隣り合うように配列された第二領域５０を形成する。また、第一領域４０と第二領域５０との間の領域を形成する複数の中継部２０ｃは、所定の間隔で互いに平行に隣り合うように配列される。このような配列により、複数の導電体２０は全体として縞状に配置される。例えば、導電体２０は、銀ナノ粒子インクである。
粘着部３０は、シート本体１０の裏面における第二領域５０に対応する位置に配置される。例えば、粘着部３０は、絶縁性材料であり透明である両面テープである。
【００３８】
（第二の実施形態における第一の使用例）
図３は、本発明の第二の実施形態による入力装置１Ａの第一の使用例を示す図である。
本発明の第二の実施形態による入力装置１Ａの第一の使用例は、入力装置１Ａが備える粘着部３０をタブレット端末２のタッチパネル６０の表面の一部に貼り付けて入力装置１Ａを介して操作する例である。
本発明の入力装置１Ａが対象とするタッチパネル６０は、静電容量式タッチパネルである。タッチパネル６０は、タッチパネル６０全体に形成された複数の静電容量に対応する複数の検出点を有する。
【００３９】
粘着部３０は、タッチパネル６０の表面に貼り付けられる。このとき、ユーザが第一領域４０を形成する複数の入力部２０ａの何れかに触れると、ユーザが触れた入力部２０ａを備える導電体２０を介して人体と粘着部３０が貼り付けられたタッチパネル６０の静電容量を形成する複数の電極との間で新たな静電容量が形成される。この新たに形成される静電容量の静電容量値は、導電体２０が備える接続部２０ｂとタッチパネル６０の静電容量を形成する複数の電極との間の距離が近い程、また、タッチパネル６０の静電容量を形成する複数の電極と対向する接続部２０ｂの面積が広い程、大きくなる。そのため、ユーザが触れた入力部２０ａを備える導電体２０に最も近いタッチパネル６０の静電容量が最も大きく変化する。
【００４０】
タッチパネル６０では、この静電容量の変化に基づいて変化する電圧や電流の変化を検出し、その変化があったと判定した場合に、その検出点に入力操作が行われたと判定する。例えば、タッチパネル６０は、新たに形成される静電容量は、新たな電流経路となり、その結果、検出点の電圧が低下するため、各検出点において電圧のしきい値が設定されており、検出点における電圧がしきい値を跨いで下回った場合にタッチパネル６０に対して入力操作されたと判定する。
【００４１】
タッチパネル６０を備える装置では、電圧が低下したタッチパネル６０の複数の検出点の組み合わせに応じて特定の入力操作が規定されている。例えば、タッチパネル６０を備える装置は、タッチパネル６０の隣り合う複数の検出点における電圧が順番に低下した場合に、スライド入力操作が行われたと判定するようプログラムされている。したがって、ユーザが第一領域４０を形成する隣り合う複数の入力部２０ａの配列方向に指を移動し、複数の入力部２０ａの一部に配列順に触れると、タッチパネル６０は、ユーザが触れた入力部２０ａを備える導電体２０に対応する検出点の電圧の低下を検知し、タッチパネル６０を備える装置はスライド入力操作が行われたと判定する。そして、タッチパネル６０を備える装置はスライド入力操作に応じた処理を行う。
接続部２０ｂは複数の入力部２０ａに対するユーザのスライド操作に伴い、複数の検出点に、スライド操作が行われたと判定される新たな静電容量が形成されるよう、それぞれ配されることが望ましい。
【００４２】
なお、一般的なタッチパネルは、ユーザの指でタッチパネルの表面を直接操作することを想定している。そのため、タッチパネルは、ユーザの指先程度の大きさであれば１つの点と判定する。しかしながら、タッチパネルとの接触領域が１ミリメートル以下程度の小さな点や、幅の狭い線である場合、接触を検出することができない可能性がある。また、タッチパネルとの接触領域が広すぎる場合には、意図しない箇所の接触を検出してしまう可能性がある。
タッチパネル６０が検出点における電圧の低下を検出するしきい値はタッチパネル６０の種類に応じて異なる。そのため、導電体２０の厚さや幅、隣り合う導電体２０同士の間隔などは事前の実験で決定する。例えば、ユーザが入力部２０ａ１に触れると入力部２０ａ１に対応する接続部２０ｂ１がタッチパネル６０の検出点に新たな静電容量を形成する。タッチパネル６０は、その静電容量による電流や電圧の変化を検出し操作が行われたと判定する。また、入力部２０ａ１がタッチパネル６０の検出点に形成される新たな静電容量のみでは操作を受け付けない場合には、入力部２０ａ１と入力部２０ａ２に対応する接続部２０ｂ１と接続部２０ｂ２によるタッチパネル６０の検出点にさらに静電容量が形成されるように導電体２０を配する。このように、ユーザが入力部のそれぞれに触れた時に、対応する接続部のそれぞれとタッチパネル６０の静電容量を形成する複数の電極との間で形成される新たな静電容量が所定の静電容量値以上となるように導電体２０の厚さや幅、隣り合う導電体２０同士の間隔などを決定する。こうすることで、ユーザが入力装置１Ａを介してタッチパネル６０に入力操作した場合に、タッチパネル６０は対応する検出点における電圧や電流の変化を検出することができようになる。その結果、ユーザは、タッチパネル６０に直接入力操作を行った場合と同等の操作を行うことができる。
【００４３】
また、本発明の入力装置１Ａとタッチパネル６０とで本発明の入力システムが構成される。本発明の入力システムにおいて、入力装置の接続部２０ｂがタッチパネル上に接続される。入力装置１Ａは、複数の導電体を備える。導電体は、それぞれタッチパネルの外部に配され、ユーザの接触による電気的な入力を取得する入力部と、入力部が取得した電気的な入力を、検出点に伝達する接続部と、を備える。
【００４４】
以上、本発明の第二の実施形態による入力装置１Ａの第一の使用例について説明した。
上述の入力装置１Ａによれば、絶縁性材料であるシート本体１０と、複数の検出点を有するタッチパネル６０上に接続する、複数の導電体２０と、粘着部３０と、を備える。導電体２０は、それぞれ、タッチパネル６０の外部に配され、ユーザの接触による電気的な入力を取得する入力部２０ａと、第二領域５０を形成し入力部２０ａが取得する電気的な入力を、タッチパネル６０の検出点に伝達する接続部２０ｂと、第一領域４０と第二領域５０との間の領域を形成し入力部２０ａと接続部２０ｂとを繋ぐ中継部２０ｃと、を備える。
このように、第二の実施形態による入力装置１Ａの構成により、ユーザがタッチパネル６０に直接触れなくともタッチパネル６０への入力操作を行うことができる。また、ユーザは、タッチパネル６０に直接触れなくともプログラムに応じたスライド入力操作を行うことができる。また、入力装置１Ａが備える接続部２０ｂ及び粘着部３０を透明な材料で作製することにより、ユーザは入力操作時にもタッチパネル６０に表示される情報を確認することができる。
【００４５】
（第二の実施形態における第二の使用例）
図４は、本発明の第二の実施形態による入力装置１Ａの第二の使用例を示す図である。
本発明の第二の実施形態による入力装置１Ａの第二の使用例は、入力装置１Ａが備える粘着部３０をスマートフォン２Ａのタッチパネル６０の表面の一部に貼り付けて入力装置１Ａを介して操作する例である。
本発明の入力装置１Ａが対象とするタッチパネル６０は、静電容量式タッチパネルである。タッチパネル６０は、タッチパネル６０全体に形成された複数の静電容量に対応する複数の検出点を有する。
【００４６】
粘着部３０は、タッチパネル６０の表面に貼り付けられる。また、入力装置１Ａのその他の部分は、スマートフォン２Ａの側面や裏面に固定される。例えば、入力装置１Ａのその他の部分は、第一領域４０を形成する入力部２０ａがスマートフォン２Ａの側面の位置となり、スライド入力操作の方向とタッチパネル６０において生じるスライドの方向とが一致するような入力部２０ａの配列方向で固定される。入力装置１Ａのその他の部分がこのようにスマートフォン２Ａに固定されることにより、ユーザは入力操作を行い易くなる。
【００４７】
ユーザがこの入力装置１Ａの第一領域４０を形成する入力部２０ａに対して入力操作を行うと、第二の実施形態における第一の使用例と同様に、タッチパネル６０の対応する検出点における静電容量が変化する。そして、タッチパネル６０は、静電容量の変化に基づいて変化する電圧や電流の変化を検出し、その変化があったと判定した場合に、その検出点に入力操作が行われたと判定する。例えば、ユーザが第一領域４０を形成する隣り合う複数の入力部２０ａの配列方向に指を移動し、複数の入力部２０ａの一部に配列順に触れると、タッチパネル６０は、ユーザが触れた入力部２０ａを備える導電体２０に対応する検出点の電圧の低下を検知し、タッチパネル６０を備えるスマートフォン２Ａはスライド入力操作が行われたと判定する。そして、スマートフォン２Ａはスライド入力操作に応じた処理を行う。
【００４８】
以上、本発明の第二の実施形態による入力装置１Ａの第二の使用例について説明した。
上述の入力装置１Ａによれば、絶縁性材料であるシート本体１０と、複数の検出点を有するタッチパネル６０上に接続する、複数の導電体２０と、粘着部３０と、を備える。導電体２０は、それぞれ、タッチパネル６０の外部に配され、ユーザの接触による電気的な入力を取得する入力部２０ａと、第二領域５０を形成し入力部２０ａの静電容量の変化を、タッチパネル６０の検出点に伝達する接続部２０ｂと、第一領域４０と第二領域５０との間の領域を形成し入力部２０ａと接続部２０ｂとを繋ぐ中継部２０ｃと、を備える。
このように、第二の実施形態による入力装置１Ａの構成により、ユーザがタッチパネル６０に直接触れなくともタッチパネル６０への入力操作を行うことができる。また、ユーザは、タッチパネル６０に直接触れなくともプログラムに応じたスライド入力操作を行うことができる。また、入力装置１Ａが備える粘着部３０を透明な材料で作製することにより、ユーザは入力操作時にもタッチパネル６０に表示される情報を確認することができる。
【００４９】
（第二の実施形態における第三の使用例）
図５は、本発明の第二の実施形態による入力装置１Ａの第三の使用例を示す図である。
本発明の第二の実施形態による入力装置１Ａの第三の使用例は、入力装置１Ａが備える粘着部３０をスマートウォッチ２Ｂのタッチパネル６０の表面の一部に貼り付けて入力装置１Ａを介して操作する例である。
本発明の入力装置１Ａが対象とするタッチパネル６０は、静電容量式タッチパネルである。タッチパネル６０は、タッチパネル６０全体に形成された複数の静電容量に対応する複数の検出点を有する。
【００５０】
粘着部３０は、タッチパネル６０の表面に貼り付けられる。また、入力装置１Ａのその他の部分は、スマートウォッチ２Ｂのバンドに固定される。例えば、入力装置１Ａのその他の部分は、第一領域４０を形成する入力部２０ａがスマートウォッチ２Ｂのバンドのタッチパネル６０に近い位置となり、スライド入力操作の方向とタッチパネル６０において生じるスライドの方向とが一致するような入力部２０ａの配列方向で固定される。入力装置１Ａのその他の部分がこのようにスマートウォッチ２Ｂのバンドに固定されることにより、ユーザは入力操作を行い易くなる。
【００５１】
ユーザがこの入力装置１Ａの第一領域４０を形成する入力部２０ａに対して入力操作を行うと、第二の実施形態における第一の使用例と同様に、タッチパネル６０の対応する検出点における静電容量が変化する。そして、タッチパネル６０は、静電容量の変化に基づいて変化する電圧や電流の変化を検出し、その変化があったと判定した場合に、その検出点に入力操作が行われたと判定する。そして、スマートウォッチ２Ｂは入力操作に応じた処理を行う。
【００５２】
以上、本発明の第二の実施形態による入力装置１Ａの第三の使用例について説明した。
上述の入力装置１Ａによれば、絶縁性材料であるシート本体１０と、複数の検出点を有するタッチパネル６０上に接続する、複数の導電体２０と、粘着部３０と、を備える。導電体２０は、それぞれ、タッチパネル６０の外部に配され、ユーザの接触による電気的な入力を取得する入力部２０ａと、第二領域５０を形成し入力部２０ａが取得した電気的な入力を、タッチパネル６０の検出点に伝達する接続部２０ｂと、第一領域４０と第二領域５０との間の領域を形成し入力部２０ａと接続部２０ｂとを繋ぐ中継部２０ｃと、を備える。
このように、第二の実施形態による入力装置１Ａの構成により、ユーザがスマートウォッチ２Ｂのタッチパネル６０に直接触れなくともタッチパネル６０への入力操作を行うことができ、バンドを介してスマートウォッチ２Ｂを操作することができる。また、ユーザは、タッチパネル６０に直接触れなくともプログラムに応じたスライド入力操作を行うことができる。また、入力装置１Ａが備える粘着部３０を透明な材料で作製することにより、ユーザは入力操作時にもタッチパネル６０に表示される情報を確認することができる。
【００５３】
（第二の実施形態における第四の使用例）
図６は、本発明の第二の実施形態による入力装置１Ａの第四の使用例を示す図である。
本発明の第二の実施形態による入力装置１Ａの第四の使用例は、入力装置１Ａが備える粘着部３０をラップトップコンピュータ２Ｃのタッチパッド６０Ａの表面の一部に貼り付けて入力装置１Ａを介して操作する例である。
本発明の入力装置１Ａが対象とするタッチパッド６０Ａは、静電容量式タッチパッドである。タッチパッド６０Ａは、タッチパネル６０と同様にタッチパッド６０Ａ全体に形成された複数の静電容量に対応する複数の検出点を有する。
【００５４】
粘着部３０は、タッチパッド６０Ａの表面に、スライド入力操作の方向とラップトップコンピュータ２Ｃの画面において生じるスライドの方向とが一致するような入力部２０ａの配列方向で貼り付けられる。
【００５５】
ユーザがこの入力装置１Ａの第一領域４０を形成する入力部２０ａに対して入力操作を行うと、第二の実施形態における第一の使用例と同様に、タッチパッド６０Ａの対応する検出点における静電容量が変化する。そして、タッチパッド６０Ａは、静電容量の変化に基づいて変化する電圧や電流の変化を検出し、その変化があったと判定した場合に、その検出点に入力操作が行われたと判定する。そして、ラップトップコンピュータ２Ｃは入力操作に応じた処理を行う。
【００５６】
以上、本発明の第二の実施形態による入力装置１Ａの第四の使用例について説明した。
上述の入力装置１Ａによれば、絶縁性材料であるシート本体１０と、複数の検出点を有するタッチパッド６０Ａ上に接続する、複数の導電体２０と、粘着部３０と、を備える。導電体２０は、それぞれ、タッチパッド６０Ａの外部に配され、ユーザの接触による電気的な入力を取得する入力部２０ａと、第二領域５０を形成し入力部２０ａが取得した電気的な入力を、タッチパッド６０Ａの検出点に伝達する接続部２０ｂと、第一領域４０と第二領域５０との間の領域を形成し入力部２０ａと接続部２０ｂとを繋ぐ中継部２０ｃと、を備える。
このような第二の実施形態による入力装置１Ａの構成により、ユーザがラップトップコンピュータ２Ｃのタッチパッド６０Ａに直接触れなくともタッチパッド６０Ａへの入力操作を行うことができ、画面上のカーソルなどの操作を行うことができる。
【００５７】
（第二の実施形態における第五の使用例）
本発明の第二の実施形態による入力装置１Ａの第五の使用例は、第一の使用例と同様に、図３で示したように、入力装置１Ａが備える粘着部３０をタブレット端末２のタッチパネル６０の表面の一部に貼り付けて入力装置１Ａを介して操作する例である。
本発明の入力装置１Ａが対象とするタッチパネル６０は、静電容量式タッチパネルである。タッチパネル６０は、タッチパネル６０全体に形成された複数の静電容量に対応する複数の検出点を有する。
【００５８】
粘着部３０は、タッチパネル６０の表面に貼り付けられる。このとき、ユーザが第一領域４０を形成する複数の入力部２０ａの何れかに触れると、ユーザが触れた入力部２０ａを備える導電体２０を介して人体と粘着部３０が貼り付けられたタッチパネル６０の静電容量を形成する複数の電極との間で新たな静電容量が形成される。
【００５９】
タッチパネル６０では、この静電容量の変化に基づいて変化する電圧や電流の変化を検出し、その変化があったと判定した場合に、その検出点に入力操作が行われたと判定する。
図７は、第二の実施形態における第五の使用例のタブレット端末２の機能ブロックを示す図である。
タブレット端末２は、タッチパネル６０と、入力判定部６１と、肌年齢判定部１００と、記憶部１０１と、スピーカ１０２と、を備える。
【００６０】
入力判定部６１は、実験により決定した肌年齢を判定するための電圧や電流の変化を検出するしきい値に基づいて、タッチパネル６０に対して入力操作が行われたか否かを判定する。
肌年齢判定部１００は、入力判定部６１の判定に基づく入力操作の認識率に基づいて、ユーザの肌年齢を判定する。
【００６１】
記憶部１０１は、ユーザの年齢（すなわち肌年齢）と認識率との対応関係を示すデータテーブルに記憶する。
スピーカ１０２は、ユーザに入力操作を行うタイミングを報知する。
【００６２】
本実施形態における第五の使用例では、タブレット端末２が備える肌年齢判定部１００が、実験に基づいて決定した肌年齢を判定するための電圧や電流の変化を検出するしきい値に対して、ユーザが入力部２０ａに触れた回数に対する検出点における入力操作の認識率によりユーザの肌年齢を判定する。本発明を検討するに当あたり、高齢者になる程、タッチパネル６０における入力操作の認識率が低下することが判明した。そこで、実験により決定したしきい値を用いてタッチパネル６０における入力操作の認識率をユーザの年齢毎に測定し、ユーザの年齢（すなわち肌年齢）と認識率との対応関係を示すタブレット端末２が備える記憶部１０１のデータテーブルに記憶しておく。そして、例えば、肌年齢判定部１００がスピーカ１０２を介して一定時間間隔で１００回のビープ音が鳴り、そのビープ音の鳴るタイミング毎にユーザが入力部２０ａをタップ操作する。タッチパネル６０の検出点が８０回入力を検出したと入力判定部６１が判定した場合、肌年齢判定部１００は、認識率を８０パーセントと算出し、記憶部１０１から読み出したデータテーブルにおける認識率８０パーセントに対応する年齢をユーザの肌年齢と判定する。また、例えば、ユーザがタッチパネル６０の表面に貼り付けられた入力装置１Ａにおける離間された１００個の入力部２０ａを順にスライド操作する。５０個の入力部２０ａに対してタッチパネル６０の検出点が入力操作を検出したと入力判定部６１が判定した場合、肌年齢判定部１００は、認識率を５０パーセントと算出し、記憶部１０１から読み出したデータテーブルにおける認識率５０パーセントに対応する年齢をユーザの肌年齢と判定する。
なお、上述の例では、入力部２０ａをタップ操作するタイミングをユーザに報知する方法としてスピーカ１０２のビープ音を例に示したが、それに限定するものではない。例えば、入力部２０ａをタップ操作するタイミングをユーザに報知する方法は、タッチパネル６０が所定のタイミング毎に表示画面を変化させるなど、その他の報知方法であってよい。
また、上述の例では、肌年齢判定部１００は、認識率をタップ操作及びスライド操作による測定結果を用いて算出したが、それに限定するものではなく、その他の操作を行った際の測定結果を用いて算出するものであってよい。
【００６３】
以上、本発明の第二の実施形態による入力装置１Ａの第五の使用例について説明した。
上述の入力装置１Ａによれば、絶縁性材料であるシート本体１０と、複数の検出点を有するタッチパネル６０上に接続する、複数の導電体２０と、粘着部３０と、を備える。導電体２０は、それぞれ、タッチパネル６０の外部に配され、ユーザの接触による電気的な入力を取得する入力部２０ａと、第二領域５０を形成し入力部２０ａが取得した電気的な入力を、タッチパネル６０の検出点に伝達する接続部２０ｂと、第一領域４０と第二領域５０との間の領域を形成し入力部２０ａと接続部２０ｂとを繋ぐ中継部２０ｃと、を備える。タブレット端末２が備える記憶部１０１は、ユーザの年齢（すなわち肌年齢）と認識率との対応関係を示すデータテーブルを記憶する。肌年齢判定部１００は、タッチパネル６０の検出点の検出結果とデータテーブルにおける検出結果に対応する年齢とに基づいて、ユーザの肌年齢を判定する。
こうすることで、ユーザが入力装置１Ａを介してタッチパネル６０に入力操作した場合に、タッチパネル６０は対応する検出点における電圧や電流の変化を検出する認識率に応じて肌年齢を判定することができようになる。その結果、ユーザは、肌年齢を知ることができ、肌年齢に応じた肌のケアを行うことができる。
【００６４】
（第二の実施形態における第六の使用例）
本発明の第二の実施形態による入力装置１Ａの第六の使用例は、第一の使用例と同様に、図３で示した入力装置１Ａ（第１入力装置）が備える粘着部３０をタブレット端末２のタッチパネル６０の表面の一部に貼り付けた入力装置１Ａと、データ入力用カード５（第２入力装置）とを介して操作する例である。そして、本発明の第二の実施形態による入力装置１Ａの第六の使用例では、第２入力装置対応処理部１０４は、ユーザの接触による電気的な入力をタッチパネル６０の複数の検出点に伝達する導電パターンを備えるデータ入力用カード５の導電パターンから入力される電気信号であって、タッチパネル６０の検出点から得た電気信号に基づく検出位置パターンを検出し、当該検出位置に応じて、データ入力用カード５の利用に基づく情報処理を行う。また、第１入力装置対応処理部１０３は、入力装置１Ａの接続部２０ｂにおける電気信号を検出し、当該電気信号に基づく入力装置１Ａの利用に基づく情報処理を、データ入力用カード５の利用に基づく情報処理の処理結果を用いて行う。
【００６５】
図８と図９は、第六の使用例におけるデータ入力用カード５Ａによるデータ入力を説明する図である。
入力装置１Ａは、図８に示すように、接続部２０ｂのそれぞれのタッチパネル６０における並び順がそれぞれの接続部２０ｂに対応する入力部２０ａの並び順であり、互いに離間した複数の導電体２０が配置されたシート本体１０（基部）を備える。また、入力装置１Ａは、図８に示すように、入力部２０ａのそれぞれにユーザの接触による電気的な入力を伝達するシート９１ａに配置された伝達部材９１ｂを備える。なお、シート本体１０は、入力部２０ａとの間に隙間を構成しており、シート９１ａを当該隙間に挿入し、隙間に沿ってシート９１ａを移動させることにより、伝達部材９１ｂの端部（他端部）が１つの入力部２０ａに配列順に接続可能なガイドを有する。伝達部材９１ｂは、他端部以外で入力部２０ａに対して反応しないように配置される。好ましくは、図８のように、伝達部材９１ｂの端部（他端部）以外は入力部２０ａから離れているのが良い。
なお、入力部２０ａの配置されたシート本体１０の上に隙間を構成し、シート９１ａを当該隙間に挿入し、隙間に沿ってシート９１ａを移動させることにより、伝達部材９１ｂが１つの入力部２０ａに配列順に接続されるガイドを有するものであってもよい。
シート本体１０は、シート本体１０との間に隙間を構成し、伝達部材９１ｂを隙間に沿って移動することにより伝達部材９１ｂの端部（他端部）が１つの入力部２０ａに配列順に接続可能なガイドを有するものである。
【００６６】
また、データ入力用カード５Ａは、データ入力用カード５の１つであり、図８に示すように、両面に導電パターン９０を備える。ユーザが指を接触させるデータ入力用カード５Ａの一面に配置された導電パターン９０は、露出している。また、データ入力用カード５Ａがタッチパネル６０上に置かれたとき、タッチパネル６０に対向する面の導電パターン９０は、ユーザによる電気的な入力をタッチパネル６０に伝達する接触点９０ｂ１、９０ｂ２、９０ｂ３、９０ｂ４のみが露出しており、それ以外の導電パターン９０は、絶縁物で被膜されている。
なお、タッチパネル６０に対向する面のユーザによる電気的な入力をタッチパネル６０に伝達する接触点９０ｂ１、９０ｂ２、９０ｂ３、９０ｂ４以外の導電パターン９０は、指先の操作に反応しない程度に細ければ露出可能であり、必ずしも絶縁物で被膜されていなくてもよい。
【００６７】
図１０と図１１は、第六の使用例におけるデータ入力用カード５Ｂによるデータ入力を説明する図である。
【００６８】
データ入力用カード５Ｂは、データ入力用カード５の１つであり、図１０に示すように、両面に導電パターン９０を備える。ユーザが指を接触させるデータ入力用カード５Ｂの一面に配置された導電パターン９０は、露出している。また、データ入力用カード５Ｂがタッチパネル６０上に置かれたとき、タッチパネル６０に対向する面の導電パターン９０は、ユーザによる電気的な入力をタッチパネル６０に伝達する接触点９０ｂ１、９０ｂ２、９０ｂ３、９０ｂ４、９０ｂ５のみが露出しており、それ以外の導電パターン９０は、対向する箇所のタッチパネル６０の接触点が指先の操作に反応しないように絶縁物で被膜されている。
なお、タッチパネル６０に対向する面のユーザによる電気的な入力をタッチパネル６０に伝達する接触点９０ｂ１、９０ｂ２、９０ｂ３、９０ｂ４、９０ｂ５以外の導電パターン９０は、指先の操作に反応しない程度に細ければ露出可能であり、必ずしも絶縁物で被膜されていなくてもよい。
また、上述の使用例では導電パターン９０はデータ入力用カード５の両面に備えられるものとしたが、導電パターン９０は、それ以外であってよい。例えば、導電パターン９０は、ユーザの接触による電気的な入力を静電容量検知装置の複数の検出点に伝達することができれば、データ入力用カード５の片面（ユーザが指を接触させるデータ入力用カード５の一面、または、タッチパネル６０に対向する面）のみに備えられてよい。
【００６９】
次に、第六の使用例におけるデータ処理について説明する。
ここでは、データ入力用カード５Ａによりコマのデータを入力し、データ入力用カード５Ｂによりコマのデータをアップグレードし、アップグレードしたコマを第１入力装置により回転させる場合のデータ処理について説明する。
図１２は、第二の実施形態における第六の使用例のタブレット端末２の機能ブロックを示す図である。
タブレット端末２は、タッチパネル６０と、制御装置６と、を備える。
制御装置６は、入力判定部６１と、記憶部１０１と、第１入力装置対応処理部１０３と、第２入力装置対応処理部１０４と、を備える。制御装置６は、タッチパネル６０へ出力する情報を制御する機能を有する。
【００７０】
入力判定部６１は、電圧や電流の変化を検出するしきい値に基づいて、タッチパネル６０に対して入力操作が行われたか否かを判定する。
記憶部１０１は、タブレット端末２が行う処理に必要な種々の情報を記憶する。例えば、記憶部１０１は、入力操作が行われたと判定した検出位置パターンと、当該検出位置パターンに応じた情報処理との対応関係を記憶する。
【００７１】
第２入力装置対応処理部１０４は、ユーザの接触による電気的な入力をタッチパネル６０の複数の検出点に伝達する導電パターンを備えるデータ入力用カード５の導電パターンから入力される電気信号であって、タッチパネル６０の検出点から得た電気信号に基づく検出位置パターンを検出し、当該検出位置パターンに応じて、データ入力用カード５の利用に基づく情報処理を行う。
第１入力装置対応処理部１０３は、入力装置１Ａの接続部２０ｂにおける電気信号を検出し、当該電気信号に基づく入力装置１Ａの利用に基づく情報処理を、データ入力用カード５の利用に基づく情報処理の処理結果を用いて行う。
【００７２】
ユーザは、データ入力用カード５Ａをタッチパネル６０上に置く（図８）。このとき、データ入力用カード５Ａの導電パターン９０における接触点９０ｂ１、９０ｂ２、９０ｂ３、９０ｂ４のそれぞれは、タッチパネル６０に触れている。ユーザがデータ入力用カード５Ａの導電パターン９０の任意の箇所を１回タップする（図８）。導電パターン９０における接触点９０ｂ１、９０ｂ２、９０ｂ３、９０ｂ４のそれぞれは、ユーザによる電気的な入力をタッチパネル６０の検出点に伝達する。タッチパネル６０の検出点のそれぞれは、電気的な入力を検出する。入力判定部６１は、電圧や電流の変化を検出するしきい値に基づいて、タッチパネル６０に対して入力操作が行われたか否かを判定する。第２入力装置対応処理部１０４は、タッチパネル６０の検出点から得た電気信号に基づく入力判定部６１が「入力操作が行われた」と判定した検出位置パターンを検出する。第２入力装置対応処理部１０４は、記憶部１０１から入力操作が行われたと判定した検出位置パターンと、当該検出位置パターンに応じた情報処理との対応関係を読み出す。第２入力装置対応処理部１０４は、読み出した対応関係において、検出した検出位置パターンを特定し特定した検出位置パターンに応じて、データ入力用カード５Ａの利用に基づく情報処理を行う。例えば、第２入力装置対応処理部１０４は、検出位置パターンに応じて、データ入力用カード５Ａが示すコマ（図８における５０Ａに対応）をタッチパネル６０に表示させる（図９）。
【００７３】
ユーザは、タッチパネル６０にコマが表示されている状態で、データ入力用カード５Ｂをタッチパネル６０上に置く（図１０）。このとき、データ入力用カード５Ｂの導電パターン９０における接触点９０ｂ１、９０ｂ２、９０ｂ３、９０ｂ４、９０ｂ５のそれぞれは、タッチパネル６０に触れている。ユーザがデータ入力用カード５Ｂの導電パターン９０の任意の箇所を１回タップする（図１０）。導電パターン９０における接触点９０ｂ１、９０ｂ２、９０ｂ３、９０ｂ４のそれぞれは、ユーザによる電気的な入力をタッチパネル６０の検出点に伝達する。タッチパネル６０の検出点のそれぞれは、電気的な入力を検出する。入力判定部６１は、電圧や電流の変化を検出するしきい値に基づいて、タッチパネル６０に対して入力操作が行われたか否かを判定する。第２入力装置対応処理部１０４は、タッチパネル６０の検出点から得た電気信号に基づく入力判定部６１が入力操作が行われたと判定した検出位置パターンを検出する。第２入力装置対応処理部１０４は、記憶部１０１から入力操作が行われたと判定した検出位置パターンと、当該検出位置パターンに応じた情報処理との対応関係を読み出す。第２入力装置対応処理部１０４は、読み出した対応関係において、検出した検出位置パターンを特定し特定した検出位置パターンに応じて、データ入力用カード５Ｂの利用に基づく情報処理を行う。例えば、第２入力装置対応処理部１０４は、検出位置パターンに応じて、データ入力用カード５Ｂが示すコマ（図１０における５０Ｂに対応）をアップグレードさせるアイテムを現在のコマに加えてタッチパネル６０に表示させる（図１１）。
【００７４】
図１３は、第六の使用例における第１入力装置によるデータ入力を説明する図である。
ユーザは、タッチパネル６０がアップグレードしたコマを表示すると、入力装置１Ａの伝達部材９１ｂに触れながらシート９１ａを把持し、伝達部材９１ｂを入力部２０ａのそれぞれに交差する方向にスライドさせる（図１３）。
伝達部材９１ｂは、入力部２０ａのそれぞれに交差する方向に移動し接触した際に、入力部２０ａのそれぞれに電気的な入力を伝達する。
導電体２０は、入力部２０ａのそれぞれに伝達された電気的な入力をタッチパネル６０の検出点に伝達する。タッチパネル６０の検出点のそれぞれは、電気的な入力を検出する。第１入力装置対応処理部１０３は、タッチパネル６０の検出点から得た電気信号に基づく入力装置１Ａの利用に基づく情報処理を、データ入力用カード５の利用に基づく情報処理の処理結果を用いて行う。例えば、第１入力装置対応処理部１０３は、データ入力用カード５Ａ及び５Ｂを用いてアップグレードしたコマを、入力装置１Ａの伝達部材９１ｂへの電気的な入力により回転させてタッチパネル６０に表示させる（図１３）。
【００７５】
以上、本発明の第二の実施形態による入力装置１Ａの第六の使用例について説明した。
上述の入力装置１Ａによれば、絶縁性材料であるシート本体１０と、複数の検出点を有するタッチパネル６０上に接続する、複数の導電体２０と、粘着部３０と、を備える。導電体２０は、それぞれ、タッチパネル６０の外部に配され、ユーザの接触による電気的な入力を取得する入力部２０ａと、第二領域５０を形成し入力部２０ａが取得した電気的な入力を、タッチパネル６０の検出点に伝達する接続部２０ｂと、第一領域４０と第二領域５０との間の領域を形成し入力部２０ａと接続部２０ｂとを繋ぐ中継部２０ｃと、を備える。タッチパネル６０上に２つのデータ入力用カード５Ａ及び５Ｂを配置する。第２入力装置対応処理部１０４は、タッチパネル６０の検出点から得た電気信号に基づく検出位置パターンを検出し、当該検出位置に応じて、データ入力用カード５Ｂの利用に基づく情報処理を行う。
こうすることで、第２入力装置対応処理部１０４は、データ入力用カード５Ａ及び５Ｂに対応したアップグレードしたコマなどの情報をタッチパネル６０に表示させることができる。
【００７６】
また、ユーザは、入力装置１Ａの伝達部材９１ｂに触れながらシート９１ａを把持し、伝達部材９１ｂを入力部２０ａのそれぞれに交差する方向にスライドさせる。伝達部材９１ｂは、入力部２０ａのそれぞれに交差する方向に移動し接触した際に、入力部２０ａのそれぞれに電気的な入力を伝達する。導電体２０は、入力部２０ａのそれぞれに伝達された電気的な入力をタッチパネル６０の検出点に伝達する。タッチパネル６０の検出点のそれぞれは、電気的な入力を検出する。第１入力装置対応処理部１０３は、タッチパネル６０の検出点から得た電気信号に基づく入力装置１Ａの利用に基づく情報処理を、データ入力用カード５の利用に基づく情報処理の処理結果を用いて行う。
こうすることで、第１入力装置対応処理部１０３は、入力装置１Ａから得た電気信号に基づいて、回転したアップグレードしたコマなどをタッチパネル６０に表示させることができる。
なお、データ入力用カード５は、コマ以外の情報の表示に利用するものであってよい。また、データ入力用カード５は、３枚以上存在し、３つ以上の異なる情報を組み合わせて新たな情報の表示に利用するものであってよい。
【００７７】
なお、第二の実施形態における第六の使用例で述べたタッチパネル６０（静電容量検知装置）と、入力装置１Ａ（第１入力装置）と、データ入力用カード５（第２入力装置）と、第１入力装置対応処理部１０３及び第２入力装置対応処理部１０４を有する制御装置６と、を備える装置が、情報処理装置の一例である。
【００７８】
＜第三の実施形態＞
図１４は、本発明の第三の実施形態による入力装置１Ｂの構成の一例を示す図である。
本発明の第三の実施形態による入力装置１Ｂは、第一の実施形態による入力装置１と同様に、シート本体１０と、複数の導電体２０と、粘着部３０と、を備える。
シート本体１０は、絶縁性材料であり透明で可撓性を有する。
複数の導電体２０のそれぞれは、図１４で示すように、入力部２０ａと、接続部２０ｂと、入力部２０ａと接続部２０ｂとを繋ぐ中継部２０ｃと、を備える。複数の導電体２０がそれぞれ備える入力部２０ａは、シート本体１０の表面に延びるように配置され、所定の間隔で互いに平行に隣り合うように配列された第一領域４０を形成する。複数の導電体２０がそれぞれ備える接続部２０ｂは、シート本体１０の表面に延びるように配置され、互いに隣り合うように配列された第二領域５０を形成する。また、第一領域４０と第二領域５０との間の領域を形成する複数の中継部２０ｃは、所定の間隔で互いに平行に隣り合うように配列される。ただし、中継部２０ｃの幅や隣り合う中継部２０ｃ同士の間隔は、第二の実施形態による入力装置１Ａのそれらとは異なる。
粘着部３０は、シート本体１０の裏面における第二領域５０に対応する位置に配置される。
第三の実施形態による入力装置１Ｂが備える粘着部３０を静電容量式タッチパネルの表面に貼り付け、ユーザが第一領域４０を形成する入力部２０ａに触れることで、タッチパネルに対して新たな静電容量を形成することができる。新たに形成される静電容量により、タッチパネルの複数の検出点における静電容量が変化する。タッチパネルの複数の検出点ではこの静電容量の変化に基づいて変化する電圧や電流の変化を検出し、その変化があったと判定した場合に、その検出点に入力操作が行われたと判定する。
【００７９】
例えば、ユーザが複数の入力部２０ａのうち、第一領域の入力部２０ａ１に触れると、中継部２０ｃを経由して第二領域の接続部２０ｂ１とタッチパネルとの間で新たな静電容量が形成される。また、例えば、ユーザが入力部２０ａ１から入力部２０ａ２、入力部２０ａ２から入力部２０ａ３、・・・のように第一領域の隣り合った入力部を順にユーザが触れる（静電容量の変化を生じるスライド操作を行う）。すると、ユーザが触れた入力部２０ａに対応する各中継部を経由してタッチパネルの複数の検出点において第二領域の接続部２０ｂ１、接続部２０ｂ２，２０ｂ３が新たな静電容量を形成する。新たに形成される静電容量により、タッチパネルの複数の検出点における静電容量が変化する。タッチパネルの複数の検出点ではこの静電容量の変化に基づいて変化する電圧や電流の変化を検出する。そのため、直接タッチパネルに触れなくとも、ユーザがタッチパネルに直接触れてスライド操作を行うのと同様の操作が可能である。
【００８０】
なお、縞状の幅についても限定は無く、スライド操作が実現できる幅であれば良い。例えば、ユーザが入力部２０ａ１に触れると入力部２０ａ１に対応する接続部２０ｂ１がタッチパネル６０の検出点に新たな静電容量を形成する。タッチパネル６０は、その静電容量による電流や電圧の変化を検出し操作が行われたと判定する。また、入力部２０ａ１がタッチパネル６０の検出点に形成される新たな静電容量のみでは操作を受け付けない場合には、入力部２０ａ１と入力部２０ａ２に対応する接続部２０ｂ１と接続部２０ｂ２によるタッチパネル６０の検出点にさらに静電容量が形成されるように導電体２０を配する。
なお、接続部２０ｂは複数の入力部２０ａに対するユーザのスライド操作に伴い、複数の検出点に、スライド操作が行われたと判定される新たな静電容量が形成されるよう、それぞれ配されることが望ましい。
【００８１】
上述の入力装置１Ｂによれば、絶縁性材料であるシート本体１０と、複数の検出点を有するタッチパネル６０上に接続する、複数の導電体２０と、粘着部３０と、を備える。導電体２０は、それぞれ、タッチパネル６０の外部に配され、ユーザの接触による電気的な入力を取得する入力部２０ａと、第二領域５０を形成し入力部２０ａが取得する電気的な入力を、タッチパネル６０の検出点に伝達する接続部２０ｂと、第一領域４０と第二領域５０との間の領域を形成し入力部２０ａと接続部２０ｂとを繋ぐ中継部２０ｃと、を備える。
このように、第三の実施形態による入力装置１Ｂの構成により、ユーザがタッチパネルに直接触れなくともタッチパネルへの入力操作を行うことができる。また、ユーザが入力装置１の隣り合う複数の入力部２０ａに順に触れることでスライド操作を行うことができる。
【００８２】
（第三の実施形態における第一の使用例）
図１５は、本発明の第三の実施形態による入力装置１Ｂの第一の使用例を示す図である。
本発明の第三の実施形態による入力装置１Ｂの第一の使用例は、入力装置１Ｂが備える粘着部３０をスマートフォン２Ａのタッチパネル６０の表面の一部に貼り付けて入力装置１Ｂを介して操作する例である。
本発明の入力装置１Ｂが対象とするタッチパネル６０は、静電容量式タッチパネルである。タッチパネル６０は、タッチパネル６０全体に形成された複数の静電容量に対応する複数の検出点を有する。
【００８３】
粘着部３０は、タッチパネル６０の表面に貼り付けられる。また、入力装置１Ｂのその他の部分は、スマートフォン２Ａに接続されたイヤホン３のケーブルに固定される。例えば、入力装置１Ｂのその他の部分は、ユーザがイヤホン３を身に着けた時に第一領域４０を形成する入力部２０ａが手の高さとなるケーブルの位置となり、スライド入力操作の方向とイヤホン３のケーブルの延びる方向とが一致するような入力部２０ａの配列方向で固定される。入力装置１Ｂのその他の部分がこのようにイヤホン３のケーブルに固定されることにより、ユーザは入力操作を行い易くなる。
【００８４】
ユーザがこの入力装置１Ｂの第一領域４０を形成する入力部２０ａに対して入力操作を行うと、第二の実施形態における第一の使用例と同様に、タッチパネル６０の対応する検出点における静電容量が変化する。そして、タッチパネル６０は、静電容量の変化に基づいて変化する電圧や電流の変化を検出し、その変化があったと判定した場合に、その検出点に入力操作が行われたと判定する。そして、スマートフォン２Ａは入力操作に応じた処理を行う。
【００８５】
以上、本発明の第三の実施形態による入力装置１Ｂの第一の使用例について説明した。
上述の入力装置１Ｂによれば、絶縁性材料であるシート本体１０と、複数の検出点を有するタッチパネル６０上に接続する、複数の導電体２０と、粘着部３０と、を備える。導電体２０は、それぞれ、タッチパネル６０の外部に配され、ユーザの接触による電気的な入力を取得する入力部２０ａと、第二領域５０を形成し入力部２０ａが取得する電気的な入力を、タッチパネル６０の検出点に伝達する接続部２０ｂと、第一領域４０と第二領域５０との間の領域を形成し入力部２０ａと接続部２０ｂとを繋ぐ中継部２０ｃと、を備える。
このように、第三の実施形態による入力装置１Ｂの構成により、ユーザがスマートフォン２Ａのタッチパネル６０を直接触れなくともタッチパネル６０への入力操作を行うことができ、スマートフォン２Ａの音量調節や選曲などができる。また、ユーザは、タッチパネル６０に直接触れなくともプログラムに応じたスライド入力操作を行うことができる。また、入力装置１が備える粘着部３０を透明な材料で作製することにより、ユーザは入力操作時にもタッチパネル６０に表示される情報を確認することができる。
【００８６】
（第三の実施形態における第二の使用例）
図１６は、本発明の第三の実施形態による入力装置１Ｂの第二の使用例を示す図である。
本発明の第三の実施形態による入力装置１Ｂの第二の使用例は、入力装置１Ｂが備える粘着部３０を家電コントローラ２Ｄのタッチパネル６０の表面の一部に貼り付けて入力装置１Ｂを介して操作する例である。
本発明の入力装置１Ｂが対象とするタッチパネル６０は、静電容量式タッチパネルである。タッチパネル６０は、タッチパネル６０全体に形成された複数の静電容量に対応する複数の検出点を有する。
【００８７】
粘着部３０は、タッチパネル６０の表面に貼り付けられる。また、入力装置１Ｂのその他の部分は、室内の壁面に固定される。例えば、入力装置１Ｂのその他の部分は、第一領域４０を形成する入力部２０ａがソファ近くの壁面の位置に固定される。入力装置１Ｂのその他の部分がこのようにソファ近くの壁面の位置に固定されることにより、ユーザは入力操作を行い易くなる。
【００８８】
ユーザがこの入力装置１Ｂの第一領域４０を形成する入力部２０ａに対して入力操作を行うと、第二の実施形態における第一の使用例と同様に、タッチパネル６０の対応する検出点における静電容量が変化する。そして、タッチパネル６０は、静電容量の変化に基づいて変化する電圧や電流の変化を検出し、その変化があったと判定した場合に、その検出点に入力操作が行われたと判定する。そして、家電コントローラ２Ｄは入力操作に応じた処理を行う。
【００８９】
以上、本発明の第三の実施形態による入力装置１Ｂの第二の使用例について説明した。
上述の入力装置１Ｂによれば、絶縁性材料であるシート本体１０と、複数の検出点を有するタッチパネル６０上に接続する、複数の導電体２０と、粘着部３０と、を備える。導電体２０は、それぞれ、タッチパネル６０の外部に配され、ユーザの接触による電気的な入力を取得する入力部２０ａと、第二領域５０を形成し入力部２０ａが取得する電気的な入力を、タッチパネル６０の検出点に伝達する接続部２０ｂと、第一領域４０と第二領域５０との間の領域を形成し入力部２０ａと接続部２０ｂとを繋ぐ中継部２０ｃと、を備える。
このように、第三の実施形態による入力装置１Ｂの構成により、ユーザが家電コントローラ２Ｄのタッチパネル６０を直接触れなくともタッチパネル６０への入力操作を行うことができ、エアコンディショナなどの家電を遠隔操作できる。
【００９０】
また、図１６の構成において、中継部２０ｃの一部は皮膜されず、複数の導電体２０が露出していても良い。露出した複数の導電体２０は、それぞれ中継部２０ｃの延在方向に概ね平行して延び、縞状に配されている。このような構成によれば、ユーザは露出した複数の導電体２０が設けられた位置の壁紙に触れれば（スライド入力操作を行えば）、家電コントローラ２Ｄのタッチパネル６０を直接触れなくともタッチパネル６０への入力操作を行うことができる。
さらに、中継部２０ｃの全体が皮膜されず、複数の導電体２０が露出していても良い。このような構成によれば、複数の導電体２０が設けられた壁紙上であればどこからでも、タッチパネル６０への入力操作を行うことができる。
【００９１】
（第三の実施形態における第三の使用例）
図１７は、本発明の第三の実施形態による入力装置１Ｂの第三の使用例を示す図である。
本発明の第三の実施形態による入力装置１Ｂの第三の使用例は、入力装置１Ｂが備える粘着部３０をデジタルカメラ２Ｅのタッチパネル６０の表面の一部に貼り付けて入力装置１Ｂを介して操作する例である。
本発明の入力装置１Ｂが対象とするタッチパネル６０は、静電容量式タッチパネルである。タッチパネル６０は、タッチパネル６０全体に形成された複数の静電容量に対応する複数の検出点を有する。
【００９２】
粘着部３０は、タッチパネル６０の表面に貼り付けられる。また、入力装置１Ｂのその他の部分は、カメラ三脚７０に固定される。例えば、入力装置１Ｂのその他の部分は、第一領域４０を形成する入力部２０ａがカメラ三脚７０のデジタルカメラ２Ｅに近い位置に固定される。入力装置１Ｂのその他の部分がこのようにカメラ三脚７０のデジタルカメラ２Ｅに近い位置に固定されることにより、ユーザは入力操作を行い易くなる。
【００９３】
ユーザがこの入力装置１Ｂの第一領域４０を形成する入力部２０ａに対して入力操作を行うと、第二の実施形態における第一の使用例と同様に、タッチパネル６０の対応する検出点における静電容量が変化する。そして、タッチパネル６０は、静電容量の変化に基づいて変化する電圧や電流の変化を検出し、その変化があったと判定した場合に、その検出点に入力操作が行われたと判定する。そして、デジタルカメラ２Ｅは入力操作に応じた処理を行う。
【００９４】
以上、本発明の第三の実施形態による入力装置１Ｂの第三の使用例について説明した。
上述の入力装置１Ｂによれば、絶縁性材料であるシート本体１０と、複数の検出点を有するタッチパネル６０上に接続する、複数の導電体２０と、粘着部３０と、を備える。導電体２０は、それぞれ、タッチパネル６０の外部に配され、ユーザの接触による電気的な入力を取得する入力部２０ａと、第二領域５０を形成し入力部２０ａが取得する電気的な入力を、タッチパネル６０の検出点に伝達する接続部２０ｂと、第一領域４０と第二領域５０との間の領域を形成し入力部２０ａと接続部２０ｂとを繋ぐ中継部２０ｃと、を備える。
このように、第三の実施形態による入力装置１Ｂの構成により、ユーザがデジタルカメラ２Ｅのタッチパネル６０を直接触れなくともタッチパネル６０への入力操作を行うことができ、ズームなどの操作を行うことができる。また、ユーザがデジタルカメラ２Ｅに直接触れないため、デジタルカメラ２Ｅの設定位置のずれを防止することができる。
【００９５】
＜第四の実施形態＞
図１８は、本発明の第四の実施形態による入力装置１Ｃの構成の一例を示す図である。
本発明の第四の実施形態による入力装置１Ｃは、２つのシート本体１０（１０ａ、１０ｂ）と、複数の導電体２０と、粘着部３０と、を備える。
２つのシート本体１０は、絶縁性材料であり透明で可撓性を有する。
複数の導電体２０のそれぞれは、図１１で示すように、入力部２０ａ（２０ａ１、２０ａ２、２０ａ３、・・・、２０ａｎ）と、接続部２０ｂ（２０ｂ１、２０ｂ２、２０ｂ３、・・・、２０ｂｎ）と、入力部２０ａと接続部２０ｂとを繋ぐ中継部２０ｃと、を備える。複数の導電体２０がそれぞれ備える入力部２０ａは、シート本体１０ａの表面に延びるように配置され、所定の間隔で互いに平行に隣り合うように配列された第一領域４０を形成する。複数の導電体２０がそれぞれ備える接続部２０ｂは、シート本体１０ｂの表面に延びるように配置され、互いに隣り合うように配列された第二領域５０を形成する。また、第一領域４０と第二領域５０との間の領域を形成する複数の中継部２０ｃは、ケーブル８０内に配列される。なお、このケーブル８０は複数の中継部２０ｃのすべてを含む１本のケーブルであっても良い。また、このケーブル８０は、複数の中継部２０ｃの一部を含む複数のケーブルであっても良い。
粘着部３０は、シート本体１０ｂの裏面における第二領域５０に対応する位置に配置される。
第四の実施形態による入力装置１Ｃが備える粘着部３０を静電容量式タッチパネルの表面に貼り付け、ユーザが第一領域４０を形成する入力部２０ａに触れることで、タッチパネルに対して新たな静電容量を形成することができる。新たに形成される静電容量により、タッチパネルの複数の検出点における静電容量が変化する。タッチパネルの複数の検出点ではこの静電容量の変化に基づいて変化する電圧や電流の変化を検出し、その変化があったと判定した場合に、その検出点に入力操作が行われたと判定する。
例えば、ユーザが複数の入力部２０ａのうち、第一領域の入力部２０ａ１に触れると、中継部２０ｃを経由して第二領域の接続部２０ｂ１とタッチパネルとの間で新たな静電容量が形成される。また、例えば、ユーザが入力部２０ａ１から入力部２０ａ２、入力部２０ａ２から入力部２０ａ３、・・・のように第一領域の隣り合った入力部を順にユーザが触れる（静電容量の変化を生じるスライド操作を行う）。すると、ユーザが触れた入力部２０ａに対応する各中継部を経由してタッチパネルの複数の検出点において第二領域の接続部２０ｂ１、接続部２０ｂ２，２０ｂ３が新たな静電容量を形成する。新たに形成される静電容量により、タッチパネルの複数の検出点における静電容量が変化する。タッチパネルの複数の検出点ではこの静電容量の変化に基づいて変化する電圧や電流の変化を検出する。そのため、直接タッチパネルに触れなくとも、ユーザがタッチパネルに直接触れてスライド操作を行うのと同様の操作が可能である。
【００９６】
上述の入力装置１Ｃによれば、絶縁性材料であるシート本体１０と、複数の検出点を有するタッチパネル６０上に接続する、複数の導電体２０と、粘着部３０と、を備える。導電体２０は、それぞれ、タッチパネル６０の外部に配され、ユーザの接触による電気的な入力を取得する入力部２０ａと、第二領域５０を形成し入力部２０ａが取得する電気的な入力を、タッチパネル６０の検出点に伝達する接続部２０ｂと、第一領域４０と第二領域５０との間の領域を形成し入力部２０ａと接続部２０ｂとを繋ぐ中継部２０ｃと、を備える。
このように、第四の実施形態による入力装置１Ｃの構成により、ユーザがタッチパネルに直接触れなくともタッチパネルへの入力操作を行うことができる。また、ユーザが入力装置１の隣り合う複数の入力部２０ａに順に触れることでスライド操作を行うことができる。
【００９７】
（第四の実施形態における第一の使用例）
図１９は、本発明の第四の実施形態による入力装置１Ｃの第一の使用例を示す図である。
本発明の第四の実施形態による入力装置１Ｃの第一の使用例は、入力装置１Ｃが備える粘着部３０をスマートフォン２Ａタッチパネル６０の表面の一部に貼り付けて入力装置１Ｂを介して操作する例である。なお、スマートフォン２Ａと外部モニタ２Ｆとは外部出力ケーブル４で接続されており、外部モニタ２Ｆには、スマートフォン２Ａと同一の画像が映し出される。
本発明の入力装置１Ｃが対象とするタッチパネル６０は、静電容量式タッチパネルである。タッチパネル６０は、タッチパネル６０全体に形成された複数の静電容量に対応する複数の検出点を有する。
【００９８】
粘着部３０は、タッチパネル６０の表面に貼り付けられる。また、第一領域４０を形成する入力部２０ａは、外部モニタ２Ｆの側面に固定される。例えば、第一領域４０を形成する入力部２０ａは、スライド入力操作の方向とタッチパネル６０において生じるスライドの方向とが一致するような入力部２０ａの配列方向で固定される。入力装置１Ｃの第一領域４０を形成する入力部２０ａがこのように外部モニタ２Ｆの側面に固定されることにより、ユーザが外部モニタ２Ｆを用いてプレゼンテーションを行う場合に入力操作を行い易くなる。
【００９９】
ユーザがこの入力装置１Ｃの第一領域４０を形成する入力部２０ａに対して入力操作を行うと、第二の実施形態における第一の使用例と同様に、タッチパネル６０の対応する検出点における静電容量が変化する。そして、タッチパネル６０は、静電容量の変化に基づいて変化する電圧や電流の変化を検出し、その変化があったと判定した場合に、その検出点に入力操作が行われたと判定する。そして、スマートフォン２Ａは入力操作に応じた処理を行い、外部モニタ２Ｆにスマートフォン２Ａと同一の画像が映し出される。
【０１００】
以上、本発明の第四の実施形態による入力装置１Ｃの第一の使用例について説明した。
上述の入力装置１Ｃによれば、絶縁性材料である２つのシート本体１０と、複数の検出点を有するタッチパネル６０上に接続する、複数の導電体２０と、粘着部３０と、を備える。導電体２０は、それぞれ、タッチパネル６０の外部に配され、ユーザの接触による電気的な入力を取得する入力部２０ａと、第二領域５０を形成し入力部２０ａが取得する電気的な入力を、タッチパネル６０の検出点に伝達する接続部２０ｂと、ケーブル８０内に第一領域４０と第二領域５０との間の領域を形成し入力部２０ａと接続部２０ｂとを繋ぐ中継部２０ｃと、を備える。
このように、第四の実施形態による入力装置１Ｃの構成により、ユーザがプレゼンテーションなどでタッチパネル機能を備えない外部モニタ２Ｆを使用する場合、外部モニタ２Ｆがタッチパネル機能を備えるモニタであるかのように入力操作を行うことができる。
また、スマートフォン２Ａと外部モニタ２Ｆの大きさが異なる場合には、入力部２０a同士と、接続部２０ｂ同士の間隔を調整することによって、入力部２０aに対して行われたスライド操作の程度と、タッチパネル６０に伝達されるスライド操作の程度を調整することができる。
【０１０１】
＜第五の実施形態＞
図２０は、本発明の第五の実施形態による入力装置１Ｄの構成の一例を示す図である。
本発明の第五の実施形態による入力装置１Ｄは、シート本体１０と、複数の導電体２０と、粘着部３０と、を備える。
シート本体１０は、絶縁性材料であり透明で可撓性を有する。
複数の導電体２０のそれぞれは、図２０で示すように、入力部２０ａ（２０ａ１、２０ａ２、２０ａ３、・・・、２０ａｎ）と、接続部２０ｂ（２０ｂ１、２０ｂ２、２０ｂ３、・・・、２０ｂｎ）と、入力部２０ａと接続部２０ｂとを繋ぐ中継部２０ｃと、を備える。複数の導電体２０がそれぞれ備える入力部２０ａは、シート本体１０の表面に配置され、放射状に隣り合うように配列された第一領域４０を形成する。ここで、放射状に隣り合うように配列された第一領域４０とは、所定の大きさの円の中心部から放射状に延びる複数の直線と円周とが交差する複数の点から円の外部へ直線的に延びる複数の入力部２０ａが形成される領域である。複数の導電体２０がそれぞれ備える接続部２０ｂは、シート本体１０の表面に延びるように配置され、互いに隣り合うように配列された第二領域５０を形成する。また、第一領域４０と第二領域５０との間の領域を形成する複数の中継部２０ｃにおいて、同一方向に延びる中継部２０ｃは、所定の間隔で互いに平行に隣り合うように配列される。
粘着部３０は、シート本体１０ｂの裏面における第二領域５０に対応する位置に配置される。
第五の実施形態による入力装置１が備える粘着部３０を静電容量式タッチパネルの表面に貼り付け、ユーザが第一領域４０を形成する入力部２０ａに触れることで、タッチパネルに対して新たな静電容量を形成することができる。新たに形成される静電容量により、タッチパネルの複数の検出点における静電容量が変化する。タッチパネルの複数の検出点ではこの静電容量の変化に基づいて変化する電圧や電流の変化を検出し、その変化があったと判定した場合に、その検出点に入力操作が行われたと判定する。
【０１０２】
上述の入力装置１Ｄによれば、絶縁性材料であるシート本体１０と、複数の検出点を有するタッチパネル６０上に接続する、複数の導電体２０と、粘着部３０と、を備える。導電体２０は、それぞれ、タッチパネル６０の外部に配され、ユーザの接触による電気的な入力を取得する入力部２０ａと、第二領域５０を形成し入力部２０ａの静電容量の変化を、タッチパネル６０の検出点に伝達する接続部２０ｂと、第一領域４０と第二領域５０との間の領域を形成し入力部２０ａと接続部２０ｂとを繋ぐ中継部２０ｃと、を備える。複数の導電体２０がそれぞれ備える入力部２０ａは、シート本体１０の表面に配置され、放射状に隣り合うように配列された第一領域４０を形成する。
このような第五の実施形態による入力装置１Ｄの構成により、ユーザがタッチパネルに直接触れなくともタッチパネルへの入力操作を行うことができる。また、第五の実施形態による入力装置１Ｄの構成により、ユーザの回転入力操作をスライド入力操作に変換することができる。
【０１０３】
（第五の実施形態における第一の使用例）
図２１は、本発明の第五の実施形態による入力装置１Ｄの第一の使用例を示す図である。
本発明の第五の実施形態による入力装置１Ｄの第一の使用例は、入力装置１Ｄが備える粘着部３０を外部モニタ２Ｇのタッチパネル６０の表面の一部に貼り付けて入力装置１Ｄを介して操作する例である。
本発明の入力装置１Ｄが対象とするタッチパネル６０は、静電容量式タッチパネルである。タッチパネル６０は、タッチパネル６０全体に形成された複数の静電容量に対応する複数の検出点を有する。粘着部３０は、タッチパネル６０の表面に貼り付けられる。
第五の実施形態による入力装置１Ｄの第一の使用例では、所定の大きさの円の中心部から放射状に延びる複数の直線と円周とが交差する複数の点から円の外部へ直線的に延びる複数の入力部２０ａ１，２０ａ２，…，２０ａｎが配置されている。入力部２０ａ１と入力部２０ａｎとの間には、図２１に示すように隙間Ｑが設けられているので、回転入力操作時に、２０ｂ１と２０ｂｎの静電容量の変化が同時に生じない。従って、上記構成によれば、入力装置１Ｄの誤作動を防止することができる。
【０１０４】
そして、入力部２０ａ１と入力部２０ａｎとの間の隙間Ｑを通すように、タップ操作伝達部２２が配置されている。タップ操作伝達部２２によって、入力部２０ａ１，２０ａ２，…，２０ａｎが形成する円の内側にある平面視円形のタップ入力部２４と、２０ｂｎの近傍に位置する平面視円形のタップ接続部２６と、が接続されている。従って、上記構成によれば、入力装置１Ｄに対してタップ入力操作が可能になり、それによって入力装置１Ｄの操作性が向上する。
実際には、図２０に示す入力装置１Ｄにおいて上記のように放射状に配置された複数の入力部２０ａ１，２０ａ２等のうちの一つは、使用しない、即ち中継部２０ｃや接続部２０ｂ１，２０ｂ２等には接続しない場合がある。このようにすることで、回転入力操作時にスマートフォン等のタッチパネル６０上に接触させた第二領域５０の幅方向における複数の接続部２０ｂ１，２０ｂ２等、及び、複数の中継部２０ｃ，…，２０ｃの両端に、同時にタッチ及び静電容量の変化が発生しないようにすることができる。従って、複数の入力部２０ａ１のうち使用しない入力部２０ａをタップ操作伝達部２２として用いることができる。
【０１０５】
但し、タップ操作伝達部２２及びタップ接続部２６に触れると、タップ入力部２４にタップ入力操作が行われた場合と同様にタップ入力操作がなされる。そのため、例えば回転入力操作を行う度に、ユーザの指がタップ操作伝達部２２及びタップ接続部２６に接触すると、ユーザにとって想定外のタップ入力操作がなされる。このような想定外のタップ入力操作はソフトウェアで処理することによって、出力結果に反映させないようにすることができる。また、ユーザの指が回転入力操作時に届く箇所を絶縁する等によってハードウェアで処理してもよい。具体的には、前記箇所に上方から絶縁シート等を設ければよい。
【０１０６】
ユーザが第一領域４０を形成する入力部２０ａ１，ａ２等の一部を時計回りまたは反時計回りに配列順に触れる（回転入力操作を行う）、また、ユーザはタップ入力部２４を所定のタイミングでタップする（タップ入力操作を行う）と、第二の実施形態における第一の使用例と同様に、ユーザが触れた第一領域４０を形成する入力部２０ａに対応するタッチパネル６０の検出点における静電容量が変化する。そして、タッチパネル６０は、静電容量の変化に基づいて変化する電圧や電流の変化を検出し、その変化があったと判定した場合に、その検出点に入力操作が行われたと判定する。そして、外部モニタ２Ｇは入力操作に応じた処理を行う。
【０１０７】
以上、本発明の第五の実施形態による入力装置１Ｄの第一の使用例について説明した。
上述の入力装置１Ｄによれば、絶縁性材料であるシート本体１０と、複数の検出点を有するタッチパネル６０上に接続する、複数の導電体２０と、粘着部３０と、を備える。導電体２０は、それぞれ、タッチパネル６０の外部に配され、ユーザの接触による電気的な入力を取得する入力部２０ａと、第二領域５０を形成し入力部２０ａが取得する電気的な入力を、タッチパネル６０の検出点に伝達する接続部２０ｂと、第一領域４０と第二領域５０との間の領域を形成し入力部２０ａと接続部２０ｂとを繋ぐ中継部２０ｃと、を備える。複数の導電体２０がそれぞれ備える入力部２０ａは、シート本体１０の表面に配置され、放射状に隣り合うように配列された第一領域４０を形成する。複数の導電体２０がそれぞれ備える接続部２０ｂは、シート本体１０の表面に延びるように配置され、互いに隣り合うように配列された第二領域５０を形成する。また、第一領域４０と第二領域５０との間の領域を形成する複数の中継部２０ｃにおいて、同一方向に延びる中継部２０ｃは、所定の間隔で互いに平行に隣り合うように配列される。
このように、第五の実施形態による入力装置１Ｄの構成により、ユーザが外部モニタ２Ｇのタッチパネル６０に直接触れなくともタッチパネル６０への入力操作を行うことができる。また、第五の実施形態による入力装置１Ｄの構成により、ユーザのスライド入力操作を回転入力操作に変換することができる。また、入力装置１Ｄが備える粘着部３０を透明な材料で作製することにより、ユーザは入力操作時にもタッチパネル６０に表示される情報を確認することができる。
【０１０８】
（第五の実施形態における第二の使用例）
図２２と図２３は、本発明の第五の実施形態による入力装置１Ｄの第二の使用例を示す図である。
本発明の第五の実施形態による入力装置１Ｄの第二の使用例は、入力装置１Ｄの粘着部３０（図示略）をヘッドマウントディスプレイ（ＨＭＤ）４５の内部に収容されたスマートフォン２Ａのタッチパネル６０の表面の一部に貼り付けて入力装置１Ｄを介して操作する例である。
ＨＭＤ４５は、入力装置１Ｄと、ユーザの頭部前方に配置可能な箱体（筐体）４６と、を備えている。箱体４６の内部は、タッチパネル６０を備えたスマートフォン２Ａを配置可能に構成されている。スマートフォン２Ａは、タッチパネル６０をＨＭＤ４５の箱体４６の内側に向けて、ユーザに近接配置される（接触してもよく、非接触であってもよい）接眼面４８とは反対側のスマートフォン装着面４７の内側に装着され、着脱自在とされている。
本発明の入力装置１Ｄが対象とするタッチパネル６０は、静電容量式タッチパネルである。タッチパネル６０は、タッチパネル６０全体に形成された複数の静電容量に対応する複数の検出点を有する。
入力装置１Ｄの入力部２０ａは、箱体４６の外側に配置され、入力装置１Ｄの接続部２０ｂの少なくとも一部はタッチパネル６０の検出点に接触可能に構成されている。第五の実施形態における第二の使用例では、入力装置１Ｄは、箱体４６の外側から内側に亘って配置され、入力装置１Ｄの粘着部３０は、タッチパネル６０の表面に貼り付けられる。これに伴い、接続部２０ｂがタッチパネル６０上に配置されている。なお、接続部２０ｂの少なくとも一部がタッチパネル６０の少なくとも一点以上の検出点に接触していれば、入力装置１Ｄとタッチパネル６０との接続方法及び接続形態は特に限定されず、粘着部３０は省略可能である。
スマートフォン装着面４７と上面５３との接続部には、入力装置１Ｄにおいて接続部２０ｂから二方向に分岐した中継部２０ｃを箱体４６の内側から外側に延出させるための切り欠き５２が二つ形成されている。分岐した中継部２０ｃはそれぞれの切り欠き５２から箱体４６の外側に表出するとともに、箱体４６に当接しながら互いに離間し、表出方向先端にあたる入力部２０ａが側面５４，５４に配置されている。側面５４，５４は、ＨＭＤ４５を装着したユーザの両耳側に近く配置されるため、この面に入力部２０ａを配置することで、スライド等の入力操作が円滑に行われる。但し、入力部２０ａの配置はＨＭＤ４５の使用環境や箱体４６の形状等に応じて適宜変更されればよく、上記の配置に限定されない。箱体４６の接眼面４８には、互いにユーザの両眼の相対位置に合わせた間隔をあけて孔５５，５５が設けられている。孔５５には、レンズ、フィルタ等が設置されていても良く、何も装着されていなくても良い。また、接眼面４８はユーザの頭部の湾曲形状に沿って湾曲している。
なお、入力装置１Ｄの接続部２０ｂ、中継部２０ｃ及び入力部２０ａは、箱体４６の外側表面に直接印刷されていても良い。
【０１０９】
ユーザはＨＭＤ４５を頭部に対して所定の位置に装着し、両目を孔５５，５５の位置に合わせることで、タッチパネル６０の表示情報を３次元の画像・映像等として認識し、鑑賞することができる。そして、図２３に示すように、ユーザは箱体４６の側面５４の外側に配置された入力部２０ａの一部を時計回りまたは反時計回りに配列順に触れる（回転入力操作を行う）。すると、第五の実施形態における第一の使用例と同様に、ユーザが触れた第一領域４０を形成する入力部２０ａに対応するタッチパネル６０の検出点における静電容量が変化する。そして、タッチパネル６０は、静電容量の変化に基づいて変化する電圧や電流の変化を検出し、その変化があったと判定した場合に、その検出点に入力操作が行われたと判定する。そして、スマートフォン２Ａは入力操作に応じた処理を行う。
【０１１０】
以上、本発明の第五の実施形態による入力装置１Ｄの第二の使用例について説明した。
このように、第五の実施形態による入力装置１ＤをＨＭＤ４５に適用した構成によれば、ユーザが小スペースである箱体４６の内部に手を挿入することなく、スマートフォン２Ａのタッチパネル６０に直接触れなくとも、箱体４６の外側からユーザの接触による入力部２０ａへの電気的な入力がなされ、且つ、入力部２０ａへの電気的な入力が接続部２０ｂによってタッチパネル６０の検出点に伝達されるので、タッチパネル６０への入力操作を容易に行うことができる。
なお、第五の実施形態による入力装置１Ｄの構成によって、ユーザのスライド入力操作を回転入力操作に変換することができるが、回転入力操作が不要な場合には入力装置１Ｄの入力部２０ａの構成を入力装置１Ａの入力部２０ａの構成に変更してもよい。また、二つの側面５４，５４のそれぞれに入力装置１Ｄと入力装置１Ａの入力部２０ａの構成をそれぞれ配設してもよい。
【０１１１】
（第五の実施形態における第三の使用例）
図２４は、本発明の第五の実施形態による入力装置１Ｄの第三の使用例を示す図である。
本発明の第五の実施形態による入力装置１Ｄの第三の使用例では、入力装置１Ｄが立体部材７９の表面の少なくとも一部に設けられ、入力装置１Ｄを介して立体部材７９が接しているタッチパネル６０を操作する例である。このように立体部材７９の表面に入力装置１Ｄを設けると、それら全体は立体的なインタフェース（以下、立体インタフェースとする）７２Ａとなる。また、入力装置１Ｄに替えて入力装置１Ａを用いて、入力装置１Ａを立体部材７９の表面に設けてもよく、そのような構成は立体インタフェース７２Ｂとして機能する。
なお、入力装置１Ｄは立体部材７９の表面に直接形成しても良く、シート本体１０に形成されると共にそのシート本体１０が立体部材７９の表面に貼付されていても良い。
立体インタフェース７２Ａ，７２Ｂのいずれにおいても、立体部材７９の表面のうち、タッチパネル６０に当接する当接面７３に、入力装置１Ｄ，１Ａの各々の接続部２０ｂ及び中継部２０ｃが配置されている。但し、当接面７３には少なくとも接続部２０ｂが配置されていればよく、中継部２０ｃは省略することができる。また、立体部材７９の表面のうち、当接面７３に連なる側壁面７４及び、側壁面７４に連なりかつ当接面７３に対して対向配置された対向配置面７５には、これらの面に連なって入力装置１Ｄ，１Ａの各々の入力部２０ａが配置されている。
立体部材７９の材質は、任意の立体形状を構成し得るものであれば、特に限定されない。
立体部材７９の形状は、当接面７３の大きさが確保できれば、特に限定されない。例えば立体部材７９は図２４に例示した立方体、直方体以外の多角柱、多角錐、円柱、円錐等であっても良い。また、接続部２０ｂからタッチパネル６０への入力が正常に行われれば、立体部材７９に替えて任意の素材及び形状の立体部材を用いることができ、折り紙で作った鶴、船、その他のもの、或いは樹脂で成形したキャラクター等を自在に用いても良い。
【０１１２】
ユーザは立体インタフェース７２Ａ，７２Ｂの各々の当接面７３をタッチパネル６０の任意の箇所に入力装置１Ｄ，１Ａを介して当接させる。そして、図２４に示すように、立体インタフェース７２Ａであれば、ユーザは対向配置面７５に配された入力部２０ａの一部を時計回りまたは反時計回りに配列順に触れることで回転入力操作を行う、又は側壁面７４の入力部２０ａのスライド入力操作を行う。立体インタフェース７２Ｂであれば、ユーザは対向配置面７５又は側壁面７４に配された入力部２０ａのスライド入力操作を行う。すると、第五の実施形態における第一の使用例と同様に、ユーザが触れた各々の入力部２０ａに対応するタッチパネル６０の検出点における静電容量が変化する。そして、タッチパネル６０は、静電容量の変化に基づいて変化する電圧や電流の変化を検出し、その変化があったと判定した場合に、その検出点に入力操作が行われたと判定する。そして、タッチパネル６０は入力操作に応じた処理を行う。
【０１１３】
以上、本発明の第五の実施形態による入力装置１Ｄの第三の使用例について説明した。
このように、第五の実施形態による入力装置１Ｄを立体インタフェース７２Ａに適用した構成によれば、タッチパネル６０との接触面積を立体部材７９の当接面７３の面積に抑えつつ、立体部材７９の側壁面７４や対向配置面７５を活かして、ユーザの回転入力操作領域やスライド入力操作領域を拡大することができる。
なお、立体部材７９としてファイバーバンドル等の所謂ライドガイドや方解石のように複屈折をおこす部材を用いれば、ユーザが立体インタフェース７２Ａ，７２Ｂの各々の当接面７３をタッチパネル６０の任意の箇所に当接させた際に、タッチパネル６０の画像が対向配置面７５に光学的に伝搬される。従って、ユーザはより近接した位置でタッチパネル６０の画像を確認することができる。
【０１１４】
（第五の実施形態における第四の使用例）
図２５は、本発明の第五の実施形態による入力装置１Ｄの第四の使用例を示す図である。
本発明の第五の実施形態による入力装置１Ｄの第四の使用例は、入力装置１Ｄが備える粘着部３０をタッチパネル６０の少なくとも一部に貼り付けて入力装置１Ｄを介してタッチパネル６０を操作する例である。
本発明の第五の実施形態による入力装置１Ｄの第四の使用例では、入力装置１Ｄが設けられた任意の部材７７が粘着部３０を基端としてタッチパネル６０を備える機器から外方に延在している。また、シート本体１０の先端側は互いに反対を成す方向に向けて二手に分岐し、それぞれの先端がタッチパネル６０から離れる方向に曲がっている。なお、部材７７の概形は図２５に示す一例に限定されるものではない。
入力装置１Ｄはゲームコントローラ８７として機能する。入力装置１Ｄの延在部８１はタッチパネル６０を備える機器から外方に延在し、延在部８１には中継部２０ｃが配設されている。入力装置１Ｄの先端側は延在部８１に連結する把持部８２とされ、把持部８２には中継部２０ｃを連結させた入力部２０ａが配設されている。
図２５に示すように、本発明の第五の実施形態による入力装置１Ｄの第四の使用例では、放射状に配設された入力部２０ａからなる回転操作部８５と、平面視円形状に形成された入力部２０ａからなり、かつタップ入力操作を受けるタップ操作部８６とが部材７７に併存している。
部材７７はユーザが把持し易い程度の剛性、形状保持能力を有するものであれば、特に限定されない。
【０１１５】
ユーザはゲームコントローラ８７の把持部８２を把持しながら、回転操作部８５の入力部２０ａの一部を時計回りまたは反時計回りに配列順に触れることで回転入力操作を行う、又はタップ操作部８６の入力部２０ａに対してタップ入力操作を行う。すると、第五の実施形態における第一の使用例と同様に、ユーザが触れた各々の入力部２０ａに対応するタッチパネル６０の検出点における静電容量が変化する。そして、タッチパネル６０は、静電容量の変化に基づいて変化する電圧や電流の変化を検出し、その変化があったと判定した場合に、その検出点に入力操作が行われたと判定する。そして、タッチパネル６０は入力操作に応じた処理を行う。これにより、ゲームが起動、進行、終了する。
【０１１６】
以上、本発明の第五の実施形態による入力装置１Ｄの第四の使用例について説明した。
このように、第五の実施形態による入力装置１Ｄをゲームコントローラ８７に適用した構成によれば、動作の種類が多岐にわたるゲーム等のアプリケーションに対し、回転入力操作やタップ入力操作を組み合わせた豊富なパターンの入力が可能となる。
言うまでもなく、ゲームコントローラ８７は回転操作部８５及びタップ操作部８６に加えて、縞状に配設された導電体２０からなる入力部２０ａを有するスライド操作部をさらに備えていてもよい。これにより、入力装置１Ｄからの入力パターンは増大し、豊富になる。
【０１１７】
＜第六の実施形態＞
本発明の第六の実施形態による入力装置１Ｅは、本発明の第二の実施形態による入力装置１Ａを複数備える。
第六の実施形態による入力装置１Ｅが備える複数の入力装置１Ａ（１Ａ１、１Ａ２、１Ａ３、・・・）が有するそれぞれの粘着部３０を静電容量式タッチパネルの表面に並べて貼り付け、ユーザが第一領域４０を形成する入力部２０ａ（２０ａ１、２０ａ２、２０ａ３、・・・、２０ａｎ）に触れることで、タッチパネルに対して新たな静電容量を形成することができる。新たに形成される静電容量により、タッチパネルの複数の検出点における静電容量が変化する。タッチパネルの複数の検出点ではこの静電容量の変化に基づいて変化する電圧や電流の変化を検出し、その変化があったと判定した場合に、その検出点に入力操作が行われたと判定する。
【０１１８】
上述の入力装置１Ｅによれば、複数の入力装置１Ａを備え、複数の入力装置１Ａが有するそれぞれの粘着部３０を静電容量式タッチパネルの表面に並べて貼り付ける。
このような第六の実施形態による入力装置１Ｅにより、ユーザがタッチパネルに直接触れなくともタッチパネルへの入力操作を行うことができる。また、タッチパネルの縦方向と横方向の両方向に対してスライド入力操作を行うことができる。
また、上述の入力装置１Ｅによれば、粘着部３０をタッチパネル表面に並べて貼り付けたときの接続部２０ｂの配置に複数の入力装置１Ａが有する複数の入力部２０ａの配置を対応させる。
このような第六の実施形態による入力装置１Ｅにより、入力装置１Ｅにおける入力部２０ａの配置がタッチパネル上の位置と対応するため、ユーザは入力操作をタッチパネルと同等の入力操作を行うことができる。
【０１１９】
（第六の実施形態における第一の使用例）
図２６は、本発明の第六の実施形態による入力装置１Ｅの第一の使用例を示す図である。
本発明の第六の実施形態による入力装置１Ｅの第一の使用例は、入力装置１Ｅが備える複数の粘着部３０をタブレット端末２のタッチパネル６０の表面に貼り付けて入力装置１Ｅを介して操作する例である。
本発明の入力装置１Ｅが対象とするタッチパネル６０は、静電容量式タッチパネルである。タッチパネル６０は、タッチパネル６０全体に形成された複数の静電容量に対応する複数の検出点を有する。入力装置１Ａ１、１Ａ２、１Ａ３、・・・のそれぞれが有する粘着部３０は、タッチパネル６０の表面に並べて貼り付けられる。
【０１２０】
図２７は、本発明の第六の実施形態による入力装置１Ｅの側面図の一例を示す図である。
図２８は、本発明の第六の実施形態による入力装置１Ｅが備える複数の粘着部３０を上方から見た平面図の一例を示す図である。
図２９は、本発明の第六の実施形態による入力装置１Ｅが備える第一領域４０を形成する入力部２０ａを上方から見た平面図の一例を示す図である。
【０１２１】
図２７は、図２６における矢印Ｂの方向に入力装置１Ｅを見た場合の側面図である。第六の実施形態による入力装置１Ｅが備える複数の粘着部３０のそれぞれは、図２７で示すように、タブレット端末２が備えるタッチパネル６０の表面に隙間なく並べられ貼り付けられる。また、第一領域４０と第二領域５０の間の領域を形成する中継部２０ｃは可撓性を有しており、第一領域４０を形成する入力部２０ａも隙間なく並べられ固定される。
【０１２２】
図２８は、図２６における矢印Ｃの方向に入力装置１Ｅを見た場合の粘着部３０の平面図である。タッチパネル６０の表面全体には、指などの接触による静電容量の変化を検出する複数の検出点が並んでいる。入力装置１Ｅが有する複数の粘着部３０のそれぞれは、タッチパネル６０の検出点に対して、所定の間隔でタッチパネル６０の表面に貼り付けられる。
なお、図２８で示す入力装置１Ｅには、透明な材料が使用されるため、タッチパネル６０に表示される画像を入力装置１Ｅの上方から確認することができる。
【０１２３】
図２９は、図２６における矢印Ｃの方向に入力装置１Ｅを見た場合の第一領域４０を構成する入力部２０ａの平面図である。入力装置１Ｅが有する第一領域４０を構成する複数の入力部２０ａ（２０ａ１、２０ａ２、２０ａ３、・・・、２０ａｎ）は、所定の間隔で配置される。
なお、導電体２０の厚さや幅、隣り合う導電体２０同士の間隔などは事前の実験で決定する。このように、導電体２０の厚さや幅、隣り合う導電体２０同士の間隔などを決定することで、ユーザが入力装置１Ｅを介してタッチパネル６０に入力操作した場合に、タッチパネル６０は対応する検出点における電圧や電流の変化を検出することができようになる。
【０１２４】
上述の入力装置１Ｅによれば、複数の入力装置１Ａを備え、複数の入力装置１Ａが有するそれぞれの粘着部３０を静電容量式タッチパネルの表面に並べて貼り付ける。
このような第六の実施形態による入力装置１Ｅにより、ユーザがタッチパネルに直接触れなくともタッチパネルへの入力操作を行うことができる。また、タッチパネルの縦方向と横方向の両方向に対してスライド入力操作を行うことができる。
また、上述の入力装置１Ｅによれば、粘着部３０をタッチパネル表面に並べて貼り付けたときの接続部２０ｂの配置に複数の入力装置１Ａが有する複数の入力部２０ａの配置を対応させる。
このような第六の実施形態による入力装置１Ｅにより、入力装置１Ｅにおける入力部２０ａの配置がタッチパネル上の位置と対応するため、ユーザは入力操作をタッチパネルと同等の入力操作を行うことができる。
【０１２５】
＜第七の実施形態＞
図３０は、本発明の第七の実施形態による入力装置１Ｆの構成の例を示す図である。
入力装置１Ｆは、本発明の第二の実施形態による入力装置１Ａを２つ備える。入力装置１Ｆでは、２つの入力装置１Ａ（１Ａ１、１Ａ２）が第二領域５０の接続部２０ｂ同士が交差し、かつ、接続部２０ｂ同士が接触しないように重ねて貼り付けられている。このように構成することで、入力装置１Ａ１と入力装置１Ａ２のそれぞれの第一領域４０を形成する入力部２０ａにユーザが触れた時、ユーザが触れた入力部２０ａに対応する導電体２０同士が交差する箇所に静電容量を構成することができる。例えば、ユーザが入力装置１Ｆの備える入力装置１Ａ１の第一領域４０を構成する入力部２０ａのうち入力装置１Ａ２から最も遠くに位置する入力部２０ａ１と入力装置１Ａ２の第一領域４０を構成する入力部２０ａのうち入力装置１Ａ１から最も遠くに位置する入力部２０ａｎとを触れた場合、図３０で示すように、それらの入力部２０ａを備える導電体２０同士が交差する点ｐ１に新たに静電容量が形成される。この新たに形成される静電容量は、点ｐ１に対応するタッチパネル６０の静電容量を形成する電極と点ｐ１に対応する入力装置１Ａ２が備える接続部２０ｂ１との間で形成される静電容量である。また、新たに形成される静電容量は、点ｐ１に対応するタッチパネル６０の静電容量を形成する電極と点ｐ１に対応する入力装置１Ａ１が備える接続部２０ｂｎとの間で形成される静電容量である。また、新たに形成される静電容量は、点ｐ１に対応する入力装置１Ａ２が備える接続部２０ｂ１と、点ｐ１に対応する入力装置１Ａ１が備える接続部２０ｂｎとの間で形成される静電容量である。これら新たに形成される静電容量が組み合わされてタッチパネル６０の静電容量を形成する電極に接続されているように影響する。
なお、複数の導電体２０同士が交差し、当該交差する領域に接続部２０ｂが配されることが好ましい。これにより、接続部２０ｂをタッチパネル６０の検出点の近傍で固定することができ、新たに形成された静電容量による検出点における電圧や電流の変化を大きくすることができる。
したがって、入力装置１Ｆの粘着部３０をタッチパネル６０上に貼り付け、ユーザが異なる第一領域４０に位置する２つの入力部２０ａに触れることで、タッチパネルの検出点において新たな静電容量を形成することができる。
【０１２６】
なお、導電体２０の厚さや幅、隣り合う導電体２０同士の間隔などは事前の実験で決定する。このように、導電体２０の厚さや幅、隣り合う導電体２０同士の間隔などを決定することで、ユーザが入力装置１Ｆを介してタッチパネル６０に入力操作した場合に、タッチパネル６０は対応する検出点における電圧や電流の変化を検出することができようになる。その結果、ユーザは、タッチパネル６０全体に対して直接入力操作を行った場合と同等の操作を行うことができる。
【０１２７】
以上、本発明の第七の実施形態による入力装置１Ｆについて説明した。上述の入力装置１Ｆによれば、タッチパネル６０上に２つの入力装置１Ａから成る入力装置１Ｆを配置する。これにより、ユーザが異なる第一領域４０に位置する２つの入力部２０ａに触れることで導電体２０同士が交差する点に新たな静電容量を形成することできる。その結果、タッチパネル６０は、タッチパネル６０上の検出点において新たな静電容量が形成されたことによる電圧や電流の変化を検出することができる。
このような第七の実施形態による入力装置１Ｆにより、タッチパネル６０上の検出点に直接触れなくともタッチパネル６０への入力操作を行うことができる。また、タッチパネルの縦方向と横方向の両方向に対してスライド入力操作を行うことができる。また、入力装置１Ｆを透明な材料で作製することにより、ユーザは入力操作時にもタッチパネル６０に表示される情報を確認することができる。
【０１２８】
本発明の入力装置１，１Ａ〜１Ｆは、タッチパネル６０に直接接続されても良いし、タッチパッド６０Ａのような別種の媒体を介した接続されても良い。また、入力装置１，１Ａ〜１Ｆは、静電容量の変化を検出点に生じさせるものであれば、タッチパネル６０への接続方法はどのようなものであっても良い。
【０１２９】
本発明の入力装置１，１Ａ〜１Ｆは、電波の使用に制約のある医療現場や福祉現場等でも簡単に操作性を拡張することができる。
【０１３０】
なお、本発明の入力システムは、入力装置１Ａ以外の入力装置とタッチパネル６０とで構成されても良い。例えば、本発明の入力システムを構成する入力装置として入力装置１，１Ａ〜１Ｆが挙げられるが、本発明の入力装置であれば、この限りではない。
【０１３１】
本発明のいくつかの実施形態を説明したが、これらの実施形態は、例として提示したものであり、発明の範囲を限定するものではない。また、発明の要旨を逸脱しない範囲で、種々の省略、置き換え、変更を行うことができるものである。
【０１３２】
例えば、複数の導電体２０のそれぞれは、絶縁性材料であるシート本体１０以外の対象物に配置されていてもよい。その一例として、導電体２０が織り込まれた糸を用いた洋服を入力装置とすることができる。このような構成によれば、洋服に小型のタブレット端末を装着或いは接続し、ユーザはその洋服を身に着け、洋服に対して所定のタップ入力操作やスライド入力操作を行うだけで、タブレット端末の操作を行うことができる。従って、ユーザのタブレット端末の快適利用性が向上する。
さらに、洋服の中でも肌着やスポーツウェアに導電体２０が織り込まれた糸を用いれば、ユーザの肌表面の水分、油分等の量に応じた入力が肌着やスポーツウェアに対してなされ、ユーザの肌表面に関する測定等も行うことができる。そして、測定結果を肌着やスポーツウェアに装着或いは接続したタブレット端末に表示させることもできる。
【０１３３】
なお、複数の導電体２０が配置される対象物は上記の洋服に限定されず、複数の導電体２０が配置可能であれば良い。即ち、複数の導電体２０はカーテンやナプキン等の布製のもの、ブラインド、縫いぐるみ、食物等に含まれていても良く、生体の肌等に直接インプラントされる形で配置されていても良い。
【０１３４】
また、シート本体１０等を含む複数の導電体２０の対象物の表面は平滑でなくても良い。例えば、シート本体１０のうち、主にユーザがスライド入力操作を行う入力部２０ａの配置領域が他の領域に対して凸状又は凹状に形成されていても良い。このような構成では、前記凸状又は凹状に形成された部分がユーザに入力部２０ａの位置を知らせるガイド部として機能し得る。従って、ユーザは入力装置を見なくても、指先の触覚によって複数の導電体２０の所望の部位（例えば、入力部２０ａ）の位置を認識し、所望の操作を行うことができる。
なお、前記凸状又は凹状の輪郭形状は、入力部２０ａの輪郭形状に一致するものに限定されず、入力部２０ａの配置領域内に複数散在していても良い。即ち、例えば入力部２０ａの配置領域内のみシボ加工が施されていても良い。このように、前記凸状又は凹状はユーザの指先の触覚によって認識可能なものであれば、特に限定されない。
【符号の説明】
【０１３５】
１、１Ａ１、１Ａ２、１Ａ３、１Ｂ、１Ｃ、１Ｄ、１Ｅ、１Ｆ・・・入力装置
１Ａ・・・入力装置（第１入力装置）
２・・・タブレット端末
２Ａ・・・スマートフォン
２Ｂ・・・スマートウォッチ
２Ｃ・・・ラップトップコンピュータ
２Ｄ・・・家電コントローラ
２Ｅ・・・デジタルカメラ
２Ｆ・・・外部モニタ
２Ｇ・・・外部モニタ（タッチパネル機能付）
３・・・イヤホン
４・・・外部出力ケーブル
５，５Ａ，５Ｂ・・・データ入力用カード（第２入力装置）
６・・・制御装置
１０、１０ａ、１０ｂ・・・シート本体
２０・・・導電体
２０ａ・・・入力部
２０ｂ・・・接続部
２０ｃ・・・中継部
３０・・・粘着部
４０・・・第一領域
４５・・・ヘッドマウントディスプレイ（ＨＭＤ）
４６・・・箱体（筐体）
５０・・・第二領域
６０・・・タッチパネル（静電容量検知装置）
６０Ａ・・・タッチパッド
７０・・・カメラ三脚
７９・・・立体部材
８０・・・ケーブル
１０３・・・第１入力装置対応処理部
１０４・・・第２入力装置対応処理部
【図１】
0005958872.tif 000002
【図２】
0005958872.tif 000003
【図３】
0005958872.tif 000004
【図４】
0005958872.tif 000005
【図５】
0005958872.tif 000006
【図６】
0005958872.tif 000007
【図７】
0005958872.tif 000008
【図８】
0005958872.tif 000009
【図９】
0005958872.tif 000010
【図１０】
0005958872.tif 000011
【図１１】
0005958872.tif 000012
【図１２】
0005958872.tif 000013
【図１３】
0005958872.tif 000014
【図１４】
0005958872.tif 000015
【図１５】
0005958872.tif 000016
【図１６】
0005958872.tif 000017
【図１７】
0005958872.tif 000018
【図１８】
0005958872.tif 000019
【図１９】
0005958872.tif 000020
【図２０】
0005958872.tif 000021
【図２１】
0005958872.tif 000022
【図２２】
0005958872.tif 000023
【図２３】
0005958872.tif 000024
【図２４】
0005958872.tif 000025
【図２５】
0005958872.tif 000026
【図２６】
0005958872.tif 000027
【図２７】
0005958872.tif 000028
【図２８】
0005958872.tif 000029
【図２９】
0005958872.tif 000030
【図３０】
0005958872.tif 000031